(57)【要約】【課題】   室内の空調を行う空調手段を備える換気装置において、送風ファンの送風抵抗に依らずに室内の換気を確実に行えるようにする。【解決手段】換気装置（10）のケーシング（11）内の空気通路には、室外空気を室内に供給する給気ファン（26）と、室内空気を室外に排出する排気ファン（25）と、空気の調湿を行う吸着熱交換器（91,92）とが配置される。制御手段（90）は、各ファン（25,26）の現状の送風量を風速センサ（71,72）の検出風速に基づいて推定し、この送風量が目標送風量に維持させるように各ファン（25,26）の送風能力を調節する。【選択図】図２
2007010216.tif 000002
【特許請求の範囲】
【請求項１】
室内と室外とを連通させるための空気通路を形成するケーシング（11）と、
上記空気通路に配置されて空気を搬送する送風ファン（25,26）と、
上記空気通路に配置されて空気の湿度調節又は温度調節のいずれかを少なくとも行う空調手段（51,52,111,112,150）とを備えた換気装置であって、
送風ファン（25,26）の送風抵抗が変化しても、該送風ファン（25,26）の送風量が目標送風量に維持されるように送風ファン（25,26）の送風能力を調節する制御手段（90）を備えていることを特徴とする換気装置。
【請求項２】
請求項１において、
空気の風速を検出する風速センサ（71,72）を備え、
上記制御手段（90）は、上記風速センサ（71,72）で検出した風速に基づいて送風ファン（25,26）の送風能力を調節することによって、該送風ファン（25,26）の送風量を目標送風量に維持することを特徴とする換気装置。
【請求項３】
請求項１において、
上記空気通路における空調手段（51,52）の上流側に配置されて空気中の塵埃を捕集するフィルタ（61,62）と、
上記空気通路における上記フィルタ（61,62）の上流側に配置される第１圧力センサ（73,74）と、上記空気通路におけるフィルタ（61,62）の下流側に配置される第２圧力センサ（75,76）とを備え、
上記制御手段（90）は、上記第１圧力センサ（73,74）と第２圧力センサ（75,76）の検出圧力の差に基づいて送風ファン（25,26）の送風能力を調節することによって、該送風ファン（25,26）の送風量を目標送風量に維持することを特徴とする換気装置。
【請求項４】
請求項３において、
上記第２圧力センサ（75,76）は、空気通路における上記空調手段（51,52）の下流側に配置されていることを特徴とする換気装置。
【請求項５】
請求項１において、
上記空調手段（51,52）は、空気中の水分を吸脱着する吸着剤を備え、該吸着剤と空気を接触させて空気の調湿を行うように構成され、
空気通路における上記空調手段（51,52）の上流側に配置される第１湿度センサ（77,78）と、空気通路における空調手段（51,52）の下流側に配置される第２湿度センサ（79,80）とを備え、
上記制御手段（90）は、上記第１湿度センサ（77,78）で検出した湿度と、第２湿度センサ（79,80）で検出した湿度との変化量に基づいて送風ファン（25,26）の送風能力を調節することによって、該送風ファン（25,26）の送風量を目標送風量に維持することを特徴とする換気装置。
【請求項６】
請求項１において、
上記空調手段（51,52）は、空気と接触して空気の温調を行うように構成され、
空気通路における上記空調手段（51,52）の上流側に配置される第１温度センサ（81）と、空気通路における空調手段（51,52）の下流側に配置される第２温度センサ（82）とを備え、
上記制御手段（90）は、上記第１温度センサ（81）で検出した温度と、第２温度センサ（82）で検出した温度との変化量に基づいて送風ファン（25,26）の送風能力を調節することによって、該送風ファン（25,26）の送風量を目標送風量に維持することを特徴とする換気装置。
【請求項７】
請求項１において、
上記送風ファン（25,26）のモータ回転速度を検出する回転数検出手段（85,86）と、
上記送風ファン（25,26）のモータ入力電流又はモータ入力電力を検出する入力検知手段（87,88）とを備え、
上記制御手段（90）は、上記回転数検出手段（85,86）で検出したモータ回転速度、及び入力検知手段（87,88）で検出したモータ入力電流又はモータ入力電力に基づいて送風ファン（25,26）の送風能力を調節することによって、該送風ファン（25,26）の送風量を目標送風量に維持することを特徴とする換気装置。
【請求項８】
請求項１において、
上記ケーシング（11）には、上記空気通路としての給気用通路と排気用通路とが形成されると共に、上記給気用通路に配置されて室外空気を室内に供給する給気ファン（26）と、上記排気用通路に配置されて室内空気を室外に排出する排気ファン（25）とが上記送風ファンとして収容され、
上記制御手段（90）は、給気ファン（26）の送風抵抗が変化しても、給気ファン（26）の送風量を目標給気量に維持するように該給気ファン（26）の送風能力を調節する給気側制御部（91）と、排気ファン（25）の送風抵抗が変化しても、排気ファン（25）の送風量を目標排気量に維持するように該排気ファン（25）の送風能力を調節する排気側制御部（92）とを備えていることを特徴とする換気装置。
【発明の詳細な説明】
【技術分野】
【０００１】
本発明は、室内の換気を行う換気装置に関し、特に、ケーシング内の空気通路に空気の温調や調湿を行う空調手段が配置されている換気装置の換気制御に係るものである。
【背景技術】
【０００２】
従来より、室内の清浄性、あるいは快適性を維持するために室内の換気を行う換気装置が知られている。例えばこの換気装置は、室内空気を排気ファンで室外に排出する一方、この排出空気に相当する量の室外空気を給気ファンで室内に供給し、室内の二酸化炭素濃度等を所定の基準値以下に保つようにしている。
【０００３】
特許文献１には、上述のような換気装置に空気の調湿や温調を行うための空調手段を具備したものが開示されている。この換気装置には、ケーシング内の空気通路に、上記空調手段として２つの吸着熱交換器が配置されている。これらの吸着熱交換器は、フィン・アンドチューブ型の熱交換器に水分の吸脱着を行う吸着剤が担持されて構成されている。また、これらの吸着熱交換器は、冷媒を循環させて冷凍サイクルを行う冷媒回路に接続されている。各吸着熱交換器は、一方の吸着熱交換器が蒸発器として機能し、他方の吸着熱交換器が凝縮器として機能する。また、上記空気通路には、室外の空気を室内に供給するための給気ファンと、室内の空気を室外に排出するための排気ファンとが配置されている。
【０００４】
この換気装置では、室内を除湿しながら換気する運転と、室内を加湿しながら換気する運転とが行われる。具体的に、除湿運転時には、室外空気が蒸発器となる吸着熱交換器を通過する。この吸着熱交換器では、冷媒によって吸着剤が冷却されており、空気中の水分が吸着剤に吸着されると同時に、この際生じる吸着熱が冷媒に奪われる。以上のようにして除湿された空気は室内へ供給され、この室内の除湿が行われる。一方、室内空気は凝縮器となる吸着熱交換器を通過する。この吸着熱交換器では、冷媒が吸着剤によって加熱されており、吸着剤から水分が脱離して空気へ放出される。以上のようにして吸着剤の再生に利用された空気は室外へ排出される。
【０００５】
一方、加湿運転時には、室外空気が凝縮器となる吸着熱交換器を通過する。この吸着熱交換器では、冷媒によって吸着剤が加熱されており、吸着剤から水分が脱離して室外空気へ放出される。以上のようにして加湿された空気は室内へ供給され、室内の加湿が行われる。一方、室内空気は蒸発器となる吸着熱交換器を通過する。この吸着熱交換器では、冷媒によって吸着剤が冷却されており、空気中の水分が吸着剤に吸着されると同時にこの際生じる吸着熱が冷媒に奪われる。以上のようにして吸着剤に水分を付与した空気は室外へ排出される。
【０００６】
以上のように、この換気装置では、室外空気を室内に供給すると同時に室内空気を室外に排出して室内の換気を行いながら、更に室内の空調を行うことで、室内の清浄性・快適性を確保するようにしている。
【特許文献１】特開２００４−２９４０４８号公報
【発明の開示】
【発明が解決しようとする課題】
【０００７】
上述の吸着熱交換器等の空調手段を空気通路に配置した換気装置では、室外空気が空調手段を必ず通過してから室内に供給されることになる。このため、例えば特許文献１の換気装置を長期に亘って運転する場合には、室外空気中の塵埃が吸着熱交換器のフィンや吸着剤の表面に付着して次第に蓄積していく。したがって、吸着熱交換器を流れる空気の圧力損失が増大して送風ファンの送風抵抗も増大すると、この送風ファンの送風量が低下してしまう。その結果、室内の必要な換気量を一定に保つことが困難となり、室内の清浄性・快適性が損なわれてしまう。
【０００８】
また、上記吸着熱交換器等の空調手段における塵埃の付着を防止するために、空調手段の空気上流側に塵埃を捕集するフィルタを配置することが考えられる。しかしこの場合には、換気装置の長期の運転に伴って上記フィルタに塵埃が蓄積していくので、やはり送風ファンの送風抵抗が増大してしまい、室内の換気量を一定に保つことが困難となる。
【０００９】
本発明は、かかる点に鑑みてなされたものであり、その目的は、室内の空調を行う空調手段を備える換気装置において、送風ファンの送風抵抗に依らずに室内の換気を確実に行えるようにすることである。
【課題を解決するための手段】
【００１０】
第１の発明は、室内と室外とを連通させるための空気通路を形成するケーシング（11）と、上記空気通路に配置されて空気を搬送する送風ファン（25,26）と、上記空気通路に配置されて空気の湿度調節又は温度調節のいずれかを少なくとも行う空調手段（51,52,111,112,150）とを備えた換気装置を前提としている。そして、この換気装置は、送風ファン（25,26）の送風抵抗が変化しても、該送風ファン（25,26）の送風量が目標送風量に維持されるように送風ファン（25,26）の送風能力を調節する制御手段（90）を備えていることを特徴とするものである。
【００１１】
第１の発明では、空気通路に配置された送風ファン（25,26）が運転されると、室内と室外との間で空気の搬送が行われ、室内の換気が行われる。また、送風ファン（25,26）によって搬送される空気は、空調手段（51,52）で湿度調節、あるいは温度調節されて室内に供給され、室内の調湿や温調がなされる。
【００１２】
ところで、例えば室外空気が空調手段（51,52）を通過してから室内に供給される場合には、室外空気中の塵埃が空調手段（51,52）の表面に付着して次第に蓄積する。このため、空調手段（51,52）を流れる空気の圧力損失が増大し、送風ファン（25,26）の送風抵抗も増大してしまう。
【００１３】
本発明では、例えば上記送風ファン（25,26）の送風抵抗が増大して、送風ファン（25,26）の送風量が目標送風量を下回ってしまうような条件になると、制御手段（90）が送風ファン（25,26）の送風能力を増大させ、この送風ファン（25,26）の送風量が目標送風量を保つように制御する。
【００１４】
第２の発明は、第１の発明において、空気の風速を検出する風速センサ（71,72）を備え、上記制御手段（90）は、上記風速センサ（71,72）で検出した風速に基づいて送風ファン（25,26）の送風能力を調節することによって、該送風ファン（25,26）の送風量を目標送風量に維持することを特徴とするものである。
【００１５】
第２の発明では、風速センサ（71,72）で検出した風速から送風ファン（25,26）の現状の送風量が推定される。制御手段（90）は、このように推定した送風量が目標送風量に近づくように送風ファン（25,26）の送風能力を調節する。その結果、送風ファン（26,26）の送風抵抗が変化しても、送風ファン（25,26）の送風量が目標送風量に保たれる。
【００１６】
第３の発明は、第１の発明において、空気通路における上記空調手段（51,52）の上流側に配置されて空気中の塵埃を捕集するフィルタ（61,62）と、空気通路における上記フィルタ（61,62）の上流側に配置される第１圧力センサ（73,74）と、空気通路における該フィルタ（61,62）の下流側に配置される第２圧力センサ（75,76）とを備え、上記制御手段（90）は、上記第１圧力センサ（73,74）と第２圧力センサ（75,76）の検出圧力の差に基づいて送風ファン（25,26）の送風能力を調節することによって、該送風ファン（25,26）の送風量を目標送風量に維持することを特徴とするものである。
【００１７】
第３の発明では、空気中の塵埃がフィルタ（61,62）に捕集された後、この空気が空調手段（51,52）を通過する。このように空調手段（51,52）の上流側にフィルタ（61,62）を配置すると、空調手段（51,52）における塵埃の付着を抑制できる一方、フィルタ（61,62）に塵埃が蓄積し易くなり、フィルタ（61,62）の圧力損失が増大し易くなる。
【００１８】
このため、本発明の制御手段（90）は、フィルタ（61,62）の上流側の第１圧力センサ（73,74）と、フィルタ（61,62）の下流側の第２圧力センサ（75,76）との検出圧力の差から、送風ファン（25,26）の圧力損失を推定し、この圧力損失から送風ファン（25,26）の現状の送風量を推定する。制御手段（90）は、このように推定した送風量が目標送風量に近づくように送風ファン（25,26）の送風能力を調節する。その結果、フィルタ（61,62）の圧力損失の増大に起因して送風ファン（25,26）の送風抵抗が増大しても、送風ファン（25,26）の送風量が目標送風量に保たれる。
【００１９】
第４の発明は、第３の発明において、上記第２圧力センサ（75,76）は、空気通路における上記空調手段（51,52）の下流側に配置されていることを特徴とするものである。
【００２０】
第４の発明では、フィルタ（61,62）を通過した空気中の比較的小さな粒径の塵埃が空調手段（51,52）に蓄積することも考慮して、第２圧力センサ（75,76）が空調手段（51,52）の下流側に配置される。つまり、本発明では、第１，第２圧力センサ（75,76）によって、フィルタ（61,62）及び空調手段（51,52）の圧力損失が検出される。
【００２１】
制御手段（90）は、各圧力センサ（75,76）の検出圧力の差から、送風ファン（25,26）の現状の送風量を推定し、この送風量が目標送風量に近づくように送風ファン（25,26）の送風能力を調節する。その結果、フィルタ（61,62）及び空調手段（51,52）の圧力損失の増大に起因して送風ファン（26,26）の送風抵抗が増大しても、送風ファン（25,26）の送風量が目標送風量に保たれる。
【００２２】
第５の発明は、第１の発明において、上記空調手段（51,52）が、空気中の水分を吸脱着する吸着剤を備え、該吸着剤と空気を接触させて空気の調湿を行うように構成され、空気通路における上記空調手段（51,52）の上流側に配置される第１湿度センサ（77,78）と、空気通路における空調手段（51,52）の下流側に配置される第２湿度センサ（79,80）とを備え、上記制御手段（90）は、上記第１湿度センサ（77,78）及び第２湿度センサ（79,80）の検出湿度に基づいて送風ファン（25,26）の送風量を調節することによって、該送風ファン（25,26）の送風量を目標送風量に維持することを特徴とするものである。
【００２３】
第５の発明では、空気が空調手段（51,52）を通過して吸着剤に接触すると、吸着剤と空気との間で水分の供与が行われ、この空気が調湿される。
【００２４】
ところで、空気を空調手段（51,52）の吸着剤で調湿する場合には、空調手段（51,52）を流れる空気の風速に応じて空調手段（51,52）による空気の調湿量（空調手段の前後の空気の湿度変化量）が変化する。即ち、例えば空調手段（51,52）を流通する空気の風速が早くなるにつれ、空調手段（51,52）を通過する空気流の乱れが大きくなり、空気と吸着剤との間における水分の授受が促進される。したがって、空調手段（51,52）による空気の調湿量が増大する。逆にいうと、空調手段（51,52）を流通する空気の風速が遅くなる場合には、空調手段（51,52）による空気の調湿量が低下することになる。
【００２５】
本発明では、このような空調手段（51,52）における風速と調湿量との関係を利用して送風ファン（25,26）の送風量が調節される。具体的に、制御手段（90）は、空調手段（51,52）の上流側の第１湿度センサ（77,78）の検出湿度と、空調手段（51,52）の下流側の第２湿度センサ（79,80）の検出湿度とに基づいて、空調手段（51,52）の前後の空気の湿度変化量を算出する。そして、制御手段（90）は、空調手段（51,52）を流れる空気の風速と、この際の空調手段（51,52）による空気の調湿量との関係から、送風ファン（25,26）の現状の送風量を推定し、この送風量が目標送風量に近づくように送風ファン（25,26）の送風能力を調節する。その結果、送風ファン（25,26）の送風抵抗が変化しても、送風ファン（25,26）の送風量が目標送風量に保たれる。
【００２６】
第６の発明は、第１の発明において、上記空調手段（51,52）が、空気と接触して空気の温調を行うように構成され、空気通路における上記空調手段（51,52）の上流側に配置される第１温度センサ（81）と、空気通路における空調手段（51,52）の下流側に配置される第２温度センサ（82）とを備え、上記制御手段（90）は、上記第１温度センサ（81）で検出した温度と、第２温度センサ（82）の検出した温度との変化量に基づいて送風ファン（25,26）の送風能力を調節することによって、該送風ファン（25,26）の送風量を目標送風量に維持することを特徴とするものである。
【００２７】
第６の発明では、空気が空調手段（51,52）に接触することで、この空気が温調される。
【００２８】
ところで、空気と空調手段（51,52）とを接触させて空気を温調する場合には、空調手段（51,52）を流れる空気の風速に応じて空調手段（51,52）による空気の温度変化量が変化する。即ち、例えば空調手段（51,52）を流れる空気の風速が早くなるにつれて、空調手段（51,52）と空気との間の熱伝達率が増大し、この空調手段（51,52）による空気の温度変化量が増大する。逆にいうと、空調手段（51,52）を流通する空気の風速が遅くなる場合には、空調手段（51,52）による空気の温度変化量が低下することになる。
【００２９】
本発明では、このような空調手段（51,52）における風速と温度変化量との関係を利用して送風ファン（25,26）の送風量が調節される。具体的に、制御手段（90）は、空調手段（51,52）の上流側の第１温度センサ（81）の検出温度と、空調手段（51,52）の下流側の第２温度センサ（82）の検出温度とに基づいて、空調手段（51,52）の前後の空気の温度変化量を算出する。そして、制御手段（90）は、上述した空調手段（51,52）を流れる空気の速度と、該空調手段（51,52）による空気の温度変化量との関係から、送風ファン（25,26）の現状の送風量を推定し、この送風量が目標送風量に近づくように送風ファン（25,26）の送風能力を調節する。その結果、送風ファン（25,26）の送風抵抗が変化しても、送風ファン（25,26）の送風量が目標送風量に保たれる。
【００３０】
第７の発明は、第１の発明において、上記送風ファン（25,26）のモータ回転速度を検出する回転数検出手段（85,86）と、上記送風ファン（25,26）のモータ入力電流又はモータ入力電力を検出する入力検知手段（87,88）とを備え、上記制御手段（90）は、上記回転数検出手段（85,86）で検出したモータ回転速度、及び入力検知手段（87,88）で検出したモータ入力電流又はモータ入力電力に基づいて送風ファン（25,26）の送風能力を調節することによって、該送風ファン（25,26）の送風量を目標送風量に維持することを特徴とするものである。
【００３１】
第７の発明では、送風ファン（25,26）の運転時において、制御手段（90）は、回転数検出手段（85,86）で検出されたモータ回転速度と、入力検知手段（87,88）で検出されたモータ入力電流（モータ入力電力）とに基づいて、この送風ファン（25,26）の現状の送風量を推定する。そして、制御手段（90）は、このように推定した送風量が目標送風量に近づくように送風ファン（25,26）の送風能力を調節する。その結果、送風ファン（25,26）の送風量が目標送風量に保たれる。
【００３２】
第８の発明は、第１の発明において、上記ケーシング（11）には、上記空気通路としての給気用通路と排気用通路とが形成されると共に、上記給気用通路に配置されて室外空気を室内に供給する給気ファン（26）と、上記排気用通路に配置されて室内空気を室外に排出する排気ファン（25）とが送風ファンとして収容され、上記制御手段（90）は、給気ファン（26）の送風抵抗が変化しても、給気ファン（26）の送風量を目標給気量に維持するように該給気ファン（26）の送風能力を調節する給気側制御部（91）と、排気ファン（25）の送風抵抗が変化しても、排気ファン（25）の送風量を目標排気量に維持するように該排気ファン（25）の送風能力を調節する排気側制御部（92）とを備えていることを特徴とするものである。
【００３３】
第８の発明では、給気ファン（26）と排気ファン（25）が運転されことで、室外空気が給気用通路を経由して室内に供給されると同時に、室内空気は排気用通路を経由して室外に排出される。
【００３４】
ここで、本発明では、例えば給気ファン（26）の送風抵抗が増大して、給気ファン（26）の実際の送風量が目標送風量を下回ってしまうような条件になると、給気側制御部（91）が給気ファン（26）の送風能力を調節する。その結果、給気ファン（26）の送風量が目標送風量を保つように制御される。一方、例えば排気ファン（25）の送風抵抗が増大して、排気ファン（25）の実際の送風量が目標送風量を下回ってしまうような条件になると、排気側制御部（92）が排気ファン（25）の送風能力を調節する。その結果、排気ファン（25）の送風量が目標送風量を保つように制御される。
【発明の効果】
【００３５】
本発明では、空調手段（51,52）における塵埃の蓄積などに起因して、送風ファン（25,26）の送風抵抗が変化する場合にも、制御手段（90）が送風ファン（25,26）の送風能力を調節し、この送風ファン（25,26）の送風量を目標送風量に保つようにしている。このため、換気装置を長期に亘って使用しても、室内の換気量を一定に保つことができる。したがって、この換気装置によって室内の清浄性・快適性を確実に保つことができ、この換気装置の信頼性の向上を図ることができる。
【００３６】
上記第２の発明によれば、風速センサを利用して送風ファン（25,26）の送風量を確実に目標送風量に保つことができる。
【００３７】
また、第３の発明によれば、空調手段（51,52）の空気上流側にフィルタ（61,62）を配置することで、空調手段（51,52）における塵埃の付着・蓄積を抑制することができる。したがって、空調手段（51,52）を保護することができ、この空調手段（51,52）の温調能力や調湿能力の低下を回避することができる。
【００３８】
一方、このように空気通路にフィルタ（61,62）を配置すると、フィルタ（61,62）における圧力損失が増大し易くなるが、本発明では、フィルタ（61,62）の上流側と下流側とに圧力センサ（73,74,75,76）をそれぞれ配置し、各圧力センサ（73,74,75,76）の検出圧力差に基づいて送風ファン（25,26）の送風能力を調節するようにしている。したがって、特にフィルタ（61,62）の圧力損失に伴って送風ファン（25,26）の送風抵抗が変化しても、送風ファン（25,26）の送風量を目標送風量に確実に保つことができる。
【００３９】
更に、第４の発明では、各圧力センサ（73,74,75,76）によってフィルタ（61,62）及び空調手段（51,52）の圧力損失を併せて検出するようにしている。このため、空調手段（51,52）に比較的細かい粒径の塵埃が付着して送風ファン（25,26）の送風抵抗が変化しても、送風ファン（25,26）の送風量を目標送風量に確実に保つことができる。
【００４０】
上記第５の発明によれば、湿度センサ（77,78,79,80）を利用して送風ファン（25,26）の送風量を確実に目標送風量に保つことができる。また、各湿度センサ（77,78,79,80）の検出湿度に基づいて空調手段（51,52）の調湿能力を制御することで、室内の湿度調整を精度良く行うことが可能となる。
【００４１】
上記第６の発明によれば、温度センサ（81,82）を利用して送風ファン（25,26）の送風量を確実に目標送風量に保つことができる。また、この温度センサ（81,82）の検出湿度に基づいて空調手段（51,52）の温調能力を制御することで、室内の温度調整を精度良く行うことが可能となる。
【００４２】
上記第７の発明によれば、送風ファン（25,26）のモータ回転速度とモータ入力電流（モータ入力電力）を利用して送風ファン（25,26）の送風量を目標送風量に保つことができる。
【００４３】
上記第８の発明では、給気ファン（26）の送風量（給気量）と排気ファン（25）の送風量（排気量）との双方を個別に制御し、それぞれの目標送風量を維持させるようにしている。したがって、室内の換気量を一定に保つことができ、この換気装置によって室内の清浄性・快適性を確実に保つことができる。
【００４４】
またこのようにすると、例えば給気量より排気量を若干多くして室内を陰圧状態に保ったり、給気量より排気量を若干少なくして室内を陽圧状態に保つような換気制御も可能となる。したがって、この換気装置によって、室内条件に応じた換気を行うことができる。
【発明を実施するための最良の形態】
【００４５】
以下、本発明の実施形態を図面に基づいて詳細に説明する。
【００４６】
《発明の実施形態１》
本発明の実施形態１について説明する。本実施形態の換気装置（10）は、室外空気（OA）を室内へ供給すると同時に室内空気（RA）を室外に排出するものである。また、この換気装置（10）は、室内の調湿機能を具備しており、室内の除湿と加湿とが可能となっている。
【００４７】
〈換気装置の全体構成〉
上記換気装置（10）について、図１及び図２を参照しながら説明する。尚、ここでの説明で用いる「上」「下」「左」「右」「前」「後」「手前」「奥」は、特にことわらない限り、上記換気装置（10）を前面側から見た場合の方向を意味している。
【００４８】
上記換気装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００４９】
上記ケーシング（11）は、やや扁平で高さが比較的低い直方体状に形成されている。このケーシング（11）では、図１における左手前側に前面パネル（12）が、同図における右奥側に背面パネル（13）がそれぞれ立設されている。このケーシング（11）は、前後方向の幅と左右方向の幅とが略同一の長さとなっている。
【００５０】
ケーシング（11）の前面パネル（12）では、左寄りの位置に排気口（21）が、右寄りの位置に給気口（22）がそれぞれ開口している。ケーシング（11）の背面パネル（13）の中央部には、上側寄りの位置に外気吸込口（23）が、下側寄りの位置に内気吸込口（24）がそれぞれ開口している。
【００５１】
上記ケーシング（11）の内部空間は、前面パネル（12）側の部分と背面パネル（13）側の部分とに区画されている。
【００５２】
上記ケーシング（11）内における前面パネル（12）側の空間は、左右２つの空間に仕切られている。この左右に仕切られた空間は、左寄りの空間が排気ファン室（35）を、右寄りの空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００５３】
一方、上記ケーシング（11）内の背面パネル（13）側の空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）は上記背面パネル（13）側寄りに、第２仕切板（17）は上記前面パネル（12）側寄りにそれぞれ配置されている。
【００５４】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。この外気側流路（32）には、ケーシング（11）の左右の内壁に亘って横断するように外気フィルタ（61）が配置されている。この外気フィルタ（61）は、外気吸込口（23）から取り込まれる室外空気中の塵埃を捕集する。内気側流路（34）は内気吸込口（24）を介して室内と連通している。この内気側流路（34）には、ケーシング（11）の左右の内壁に亘って横断するように内気フィルタ（62）が配置されている。この内気フィルタ（62）は、内気吸込口（24）から取り込まれる室内空気中の塵埃を捕集する。
【００５５】
第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。
【００５６】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００５７】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００５８】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００５９】
以上のようにして、ケーシング（11）には、空気通路が形成されている。この空気通路は、上記外気側流路（32）、各熱交換器室（37,38）、給気側流路（33）、及び給気ファン室（36）までの給気用通路と、上記内気側流路（34）、各熱交換器室（37,38）、排気側流路（31）、及び排気ファン室（35）までの排気用通路とで構成される（空気の流れについての詳細は後述する）。
【００６０】
〈冷媒回路の構成〉
上記冷媒回路（50）について、図３を参照しながら説明する。
【００６１】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００６２】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００６３】
上記四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００６４】
図４に示すように、第１吸着熱交換器（51）及び第２吸着熱交換器（52）は、本発明の空調手段を構成しており、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００６５】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００６６】
<センサ及びコントローラの構成>
本実施形態の換気装置（10）は、給気風速センサ（71）、排気風速センサ（72）、及びコントローラ（90）を備えている。
【００６７】
図２に示すように、上記給気風速センサ（71）は、上記外気側流路（32）における外気吸込口（23）の近傍であって、上記外気フィルタ（61）の下流側に配置されている。この給気風速センサ（71）は、外気側流路（32）を流れる空気の風速を検出する。上記排気風速センサ（72）は、上記内気側流路（34）における内気吸込口（24）の近傍であって、上記内気フィルタ（62）の下流側に配置されている。この排気風速センサ（72）は、内気側流路（34）を流れる空気の風速を検出する。
【００６８】
図５に示すコントローラ（90）は、給気ファン（26）及び排気ファン（25）の各送風能力を調節する制御手段を構成している。このコントローラ（90）には、給気側制御部（91）、排気側制御部（92）、及び設定部（93）が設けられている。上記設定部（93）には、室内への供給空気（SA）の目標給気量と、室外への排出空気（EA）の目標排気量とが設定される。これら目標給気量や目標排気量は、換気装置（10）の導入時において室内条件に応じて業者が適宜決定するものであってもよいし、ユーザーがリモコン等で適宜変更・決定するものであってもよい。
【００６９】
上記給気側制御部（91）には、上記給気風速センサ（71）で検出した風速が適宜受信される。給気側制御部（91）は、給気風速センサ（71）で検出した風速に基づいて給気ファン（26）の送風量を上記目標給気量に維持させるよう、該給気ファン（26）のモータ回転速度を調節する。上記排気側制御部（92）には、上記排気風速センサ（72）で検出した風速が適宜受信される。排気側制御部（92）は、排気風速センサ（72）で検出した風速に基づいて排気ファン（25）の送風量を上記目標排気量に維持させるように、該排気ファン（25）のモータ回転速度を調節する。なお、コントローラ（90）による各ファン（25,26）の風量制御の詳細は後述する。
【００７０】
−運転動作−
本実施形態の換気装置（10）では、除湿運転と加湿運転とが行われる。除湿運転中や加湿運転中の換気装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の換気装置（10）は、室内の換気を行っている。
【００７１】
〈除湿運転〉
除湿運転中の換気装置（10）では、給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。また、除湿運転中の換気装置（10）では、第１動作と第２動作が所定の時間間隔（例えば３分間隔）で交互に繰り返される。
【００７２】
除湿運転時の第１動作について説明する。
【００７３】
この第１動作中の冷媒回路（50）では、図３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００７４】
図６に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。
【００７５】
外気吸込口（23）から外気側流路（32）へ流入した第１空気は、第２ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第８ダンパ（48）を通って給気側流路（33）へ流入し、給気ファン室（36）を通過後に給気口（22）を通って室内へ供給される。
【００７６】
一方、内気吸込口（24）から内気側流路（34）へ流入した第２空気は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第５ダンパ（45）を通って排気側流路（31）へ流入し、排気ファン室（35）を通過後に排気口（21）を通って室外へ排出される。
【００７７】
除湿運転時の第２動作について説明する。
【００７８】
この第２動作中の冷媒回路（50）では、図３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第２吸着熱交換器（52）が凝縮器となって第１吸着熱交換器（51）が蒸発器となる。
【００７９】
図７に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００８０】
外気吸込口（23）から外気側流路（32）へ流入した第１空気は、第１ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第７ダンパ（47）を通って給気側流路（33）へ流入し、給気ファン室（36）を通過後に給気口（22）を通って室内へ供給される。
【００８１】
一方、内気吸込口（24）から内気側流路（34）へ流入した第２空気は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第６ダンパ（46）を通って排気側流路（31）へ流入し、排気ファン室（35）を通過後に排気口（21）を通って室外へ排出される。
【００８２】
〈加湿運転〉
加湿運転中の換気装置（10）では、給気ファン（26）及び排気ファン（25）が運転される。給気ファン（26）を運転すると、室外空気が外気吸込口（23）からケーシング（11）内へ第２空気として取り込まれる。排気ファン（25）を運転すると、室内空気が内気吸込口（24）からケーシング（11）内へ第１空気として取り込まれる。また、加湿運転中の換気装置（10）では、第１動作と第２動作とが所定の時間間隔（例えば３分間隔）で交互に繰り返される。
【００８３】
加湿運転時の第１動作について説明する。
【００８４】
この第１動作中の冷媒回路（50）では、図３(Ａ)に示すように、四方切換弁（54）が第１状態に設定される。そして、この冷媒回路（50）では、除湿運転の第１動作中と同様に、第１吸着熱交換器（51）が凝縮器となって第２吸着熱交換器（52）が蒸発器となる。
【００８５】
図８に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。
【００８６】
内気吸込口（24）から内気側流路（34）へ流入した第１空気は、第４ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第６ダンパ（46）を通って排気側流路（31）へ流入し、排気ファン室（35）を通過後に排気口（21）を通って室外へ排出される。
【００８７】
一方、外気吸込口（23）から外気側流路（32）へ流入した第２空気は、第１ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第７ダンパ（47）を通って給気側流路（33）へ流入し、給気ファン室（36）を通過後に給気口（22）を通って室内へ供給される。
【００８８】
加湿運転時の第２動作について説明する。
【００８９】
この第２動作中の冷媒回路（50）では、図３(Ｂ)に示すように、四方切換弁（54）が第２状態に設定される。そして、この冷媒回路（50）では、除湿運転の第２動作中と同様に、第２吸着熱交換器（52）が凝縮器となって第１吸着熱交換器（51）が蒸発器となる。
【００９０】
図９に示すように、この第２動作中には、第２ダンパ（42）、第３ダンパ（43）、第５ダンパ（45）、及び第８ダンパ（48）が開状態となり、残りのダンパ（41,44,46,47）が閉状態となる。
【００９１】
内気吸込口（24）から内気側流路（34）へ流入した第１空気は、第３ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第５ダンパ（45）を通って排気側流路（31）へ流入し、排気ファン室（35）を通過後に排気口（21）を通って室外へ排出される。
【００９２】
一方、外気吸込口（23）から外気側流路（32）へ流入した第２空気は、第２ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第８ダンパ（48）を通って給気側流路（33）へ流入し、給気ファン室（36）を通過後に給気口（22）を通って室内へ供給される。
【００９３】
−換気制御動作−
次に、実施形態１の換気装置（10）の換気制御動作について説明する。
【００９４】
上述の除湿運転や加湿運転を長期に亘って運転すると、上述した外気フィルタ（61）に室外空気中の塵埃が徐々に蓄積する。その結果、給気用通路の圧力損失の増大に伴って給気ファン（26）の送風抵抗が増大する。同様に、上述した内気フィルタ（62）に室内空気中の塵埃が徐々に蓄積すると、排気用通路の圧力損失の増大に伴って排気ファン（25）の送風抵抗が増大する。更に、上記吸着熱交換器（51,52）の各フィン（57）の表面に、各フィルタ（61,62）を通過した比較的小さな塵埃が付着して蓄積する場合にも、各送風ファン（25,26）の送風抵抗が増大してしまう。
【００９５】
以上のようにして送風抵抗が増大すると、従来の換気装置であれば、給気ファンや排気ファンの送風量が低下してしまい、室内の必要な換気量を充足させることが困難となってしまう。一方、本実施形態の換気装置（10）では、このように送風抵抗が変化しても、コントローラ（90）によって各送風ファン（25,26）の送風量が目標送風量に維持される。
【００９６】
具体的に、例えば上記外気フィルタ（61）や各吸着熱交換器（51,52）の表面に塵埃が蓄積して給気ファン（26）の送風抵抗が増大すると、給気風速センサ（71）で検出される風速が低下する。給気側制御部（91）は、この風速から給気ファン（26）の現状の給気量を算出する。更に、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【００９７】
また、例えば上記内気フィルタ（62）や各吸着熱交換器（51,52）の表面に塵埃が蓄積して排気ファン（25）の送風抵抗が増大すると、排気風速センサ（72）で検出される風速が低下する。排気側制御部（92）は、この風速から排気ファン（25）の現状の排気量を算出する。更に、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【００９８】
−実施形態１の効果−
以上のように、実施形態１では、給気側通路と排気側通路とにそれぞれ風速センサ（71,72）を配置し、各風速センサ（71,72）で検出した風速に基づいて、各ファン（25,26）の送風量が目標送風量に維持されるように各ファン（25,26）の送風能力を調節するようにしている。このため、給気ファン（26）や排気ファン（25）の送風抵抗が変化しても、室内の換気量を確実に一定に保つことができる。したがって、この換気装置を長期間に亘って使用しても、室内の清浄性や快適性を確実に維持することができ、この換気装置の信頼性の向上を図ることができる。
【００９９】
また、本実施形態では、給気ファン（26）と排気ファン（25）との送風量を個別に制御し、それぞれの目標送風量を維持させるようにしている。このようにすると、例えば給気量より排気量を若干多くして室内を陰圧状態に保ったり、給気量より排気量を若干少なくして室内を陽圧状態に保ったりするような換気制御も可能となる。したがって、この換気装置によって、室内条件に応じた換気を行うことができる。
【０１００】
<風速センサのその他の配置例>
上記実施形態１で上述した風速センサ（71,72）の配置に代えて、上記給気風速センサ（71）を給気側流路（33）や給気ファン室（36）に配置しても良い。また、上記排気風速センサ（72）を排気側流路（31）や排気ファン室（35）に配置しても良い。つまり、上記給気風速センサ（71）は、室外空気（OA）が室内に供給されるまでの給気用通路であれば如何なる箇所に配置されても良い。また、上記排気風速センサ（72）は、室内空気（RA）が室外に排出されるまでの排気用通路であれば如何なる箇所に配置されても良い。
【０１０１】
また、例えば図１０に示すように、１つの風速センサ（71）を一方の上記熱交換器室（例えば第１熱交換器室（37））に配置するようにしても良い。この例では、上述した第１動作と第２動作との切り換えに連動するようにして、給気ファン（26）や排気ファン（25）の風量制御が行われる。
【０１０２】
具体的に、上記除湿運転の第２動作時や上記加湿運転の第１動作時には、給気ファン（26）に搬送される空気が第１熱交換器室（37）を通過する。このため、これらの動作時において風速センサ（71）で検出した風速は、給気ファン（26）の搬送空気の風速となる。したがって、これらの動作時には、給気側制御部（91）によって、風速センサ（71）の検出した風速に基づいて給気ファン（26）の必要モータ回転速度を適宜更新することで、給気ファン（26）の給気量を目標給気量に維持させることができる。一方、上記除湿運転の第１動作時や上記加湿運転の第２動作時には、排気ファン（25）に搬送される空気が第１熱交換器室（37）を通過する。このため、これらの動作時においては風速センサ（71）で検出した風速は、排気ファン（25）の搬送空気の風速となる。したがって、これらの動作時には、排気側制御部（92）によって、風速センサ（71）の検出した風速に基づいて排気ファン（25）の必要モータ回転速度を適宜更新することで、排気ファン（25）の排気量を目標排気量に維持させることができる。
【０１０３】
なお、このような各ファン（25,26）の換気制御を第１動作と第２動作との切り換え毎に必ず行う必要はなく、例えば数時間おき、あるいは１日おきというような間隔で、給気ファン（26）や排気ファン（25）のモータ回転速度を適宜変更するようにしても良い。
【０１０４】
《発明の実施形態２》
実施形態２の換気装置（10）は、上記実施形態とセンサ及びコントローラの構成が異なるものである。
【０１０５】
<センサ及びコントローラの構成>
図１１に示すように、本実施形態の換気装置（10）の空気通路には、上記実施形態１の風速センサ（71,72）に代えて４つの圧力センサ（73,74,75,76）が設けられている。これらの圧力センサは、第１給気圧力センサ（73）、第１排気圧力センサ（74）、第２給気圧力センサ（75）、及び第２排気圧力センサ（76）で構成されている。
【０１０６】
上記第１給気圧力センサ（73）は、上記外気側流路（32）における外気吸込口（23）の近傍であって、上記外気フィルタ（61）の上流側に配置されている。この第１給気圧力センサ（73）は、外気側流路（32）を流れる空気の圧力を検出する。上記第１排気圧力センサ（74）は、上記内気側流路（34）における内気吸込口（24）の近傍であって、上記内気フィルタ（62）の上流側に配置されている。この第１排気圧力センサ（74）は、内気側流路（34）を流れる空気の圧力を検出する。
【０１０７】
上記第２給気圧力センサ（75）は、給気ファン室（36）に配置されている。この第２給気圧力センサ（75）は、室内に供給される空気の圧力を検出する。上記第２排気圧力センサ（76）は、排気ファン室（35）に配置されている。この第２排気圧力センサ（76）は、室外に排出される空気の圧力を検出する。
【０１０８】
−換気制御動作−
次に、実施形態２の換気装置（10）の換気制御動作について説明する。
【０１０９】
例えば上記外気フィルタ（61）や各吸着熱交換器（51,52）の表面に塵埃が蓄積して給気ファン（26）の送風抵抗が増大すると、第１給気圧力センサ（73）の検出圧力と、第２給気圧力センサ（75）の検出圧力との差が増大する。給気側制御部（91）は、これらの検出圧力の差、即ち給気ファン（26）の送風抵抗に基づいて給気ファン（26）の現状の給気量を算出する。更に、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【０１１０】
また、例えば上記内気フィルタ（62）や各吸着熱交換器（51,52）の表面に塵埃が蓄積して排気ファン（25）の送風抵抗が増大すると、第１排気圧力センサ（74）の検出圧力と、第２排気圧力センサ（76）の検出圧力との差が増大する。排気側制御部（92）は、これらの検出圧力の差、即ち排気ファン（25）の送風抵抗に基づいて排気ファン（25）の現状の排気量を算出する。更に、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【０１１１】
−実施形態２の効果−
上記実施形態２では、各フィルタ（61,62）及び各吸着熱交換器（51,52）を挟み込むようにして各圧力センサ（73,74,75,76）をそれぞれ配置し、各圧力センサ（73,74,75,76）の検出圧力差に基づいて給気ファン（26）や排気ファン（25）の送風能力を調節するようにしている。したがって、各フィルタ（61,62）及び各吸着熱交換器（51,52）の圧力損失の増大に伴って各ファン（25,26）の送風抵抗が増大しても、各ファン（25,26）の送風量を目標送風量に確実に保つことができる。
【０１１２】
<圧力センサのその他の配置例>
例えば図１２に示すように、上記実施形態２の第２給気圧力センサ（75）を外気側流路（32）における外気フィルタ（61）の下流側に配置し、上記実施形態２の第２排気圧力センサ（76）を内気側流路（34）における内気フィルタ（62）の下流側に配置するようにしてもよい。
【０１１３】
この例では、外気フィルタ（61）及び内気フィルタ（62）の塵埃の蓄積に起因する送風抵抗の変化のみを加味して、各ファン（25,26）の送風能力の調節が行われる。この例は、各フィルタ（61,62）の集塵率が比較的高く設定され、各フィルタ（61,62）で塵埃が目詰まりし易い一方、各吸着熱交換器（51,52）には塵埃が蓄積しにくい構成において有効である。
【０１１４】
また、上記実施形態２の第１給気圧力センサ（73）及び第１排気圧力センサ（74）を設けずに、換気装置（10）の機外に大気圧を検出する圧力センサを配置するようにしてもよい。この場合には、上記圧力センサで検出した大気圧と、上述の第２給気圧力センサ（75）の検出圧力との差から給気ファン（26）の送風抵抗を求め、給気ファン（26）の送風能力を調節することが可能となる。また、上記圧力センサで検出した大気圧と、第２排気圧力センサ（76）の検出圧力との差から排気ファン（25）の送風抵抗を求め、排気ファン（25）の送風能力を調節することが可能となる。
【０１１５】
《発明の実施形態３》
実施形態３の換気装置（10）は、上記実施形態とセンサ及びコントローラの構成が異なるものである。
【０１１６】
<センサ及びコントローラの構成>
図１３に示すように、本実施形態の換気装置（10）の空気通路には、２つの湿度センサ（77,78）が設けられている。これらの湿度センサは、第１湿度センサ（77）と第２湿度センサ（79）とで構成されている。
【０１１７】
上記第１湿度センサ（77）は、第１熱交換器室（37）における第１吸着熱交換器（51）の上流側に配置されている。この第１湿度センサ（77）は、第１吸着熱交換器（51）に調湿される前の空気の絶対湿度を検出する。上記第２湿度センサ（79）は、第１熱交換器室（37）における第１吸着熱交換器（51）の下流側に配置されている。この第２湿度センサ（79）は、第１吸着熱交換器（51）に調湿された後の空気の絶対湿度を検出する。
【０１１８】
実施形態３のコントローラ（90）には、上記第１湿度センサ（77）及び第２湿度センサ（79）で検出した絶対湿度が受信される。 また、図１４に示すように、コントローラ（90）には、換気装置（10）の出荷時又は据え付け時に入力されるデータベース関数を記憶する記憶部（94）が設けられている。
【０１１９】
ところで、空気を吸着熱交換器の吸着剤で調湿する場合には、吸着熱交換器を流れる空気の風速に応じて空気の調湿量（空調手段の前後の空気の湿度変化量）が変化する。即ち、例えば吸着熱交換器を流通する空気の風速が早くなるにつれ、吸着熱交換器を通過する空気流の乱れが大きくなり、空気と吸着剤との間における水分の授受が促進される。したがって、吸着熱交換器による空気の調湿量が増大する。逆にいうと、吸着熱交換器を流通する空気の風速が遅くなる場合には、吸着熱交換器による空気の調湿量が低下することになる。また、上記吸着熱交換器による空気の調湿量は、冷媒回路の冷媒循環量、即ち冷媒回路に接続された圧縮機の運転周波数によっても変化する。
【０１２０】
上述した記憶部（94）には、このような特性を利用して給気ファン（26）及び排気ファン（25）の実際の送風量を求めるためのデータベース関数が記憶されている。
【０１２１】
具体的に、上記データベース関数は、給気ファン（26）の実際の給気量を求めるための給気側データベース関数と、排気ファン（25）の実際の排気量を求めるための排気側データベース関数とで構成されている。上記給気側データベース関数は、室外空気（OA）の絶対湿度、供給空気（SA）の絶対湿度、及び圧縮機（53）の運転周波数を基本パラメータとしている。上記排気側データベース関数は、室内空気（RA）の絶対湿度、排出空気（EA）の絶対湿度、及び圧縮機（53）の運転周波数を基本パラメータとしている。なお、各空気の絶対湿度は、上記各湿度センサ（77,79）で適宜検出されるものであり、吸着熱交換器（51）の前後の空気の湿度変化量を求めるためのパラメータである。また、上記圧縮機（53）の運転周波数は、圧縮機（53）からコントローラ（90）に適宜出力されるものであり、上記データベース関数において、冷媒の循環量の変化に起因して吸着熱交換器（51）による空気の調湿量が変化するのを考慮するためのパラメータである。
【０１２２】
−換気制御動作−
次に、実施形態３の換気装置（10）の換気制御動作について説明する。
【０１２３】
実施形態３では、上述した第１動作と第２動作との切り換えに連動するようにして、給気ファン（26）や排気ファン（25）の換気制御が行われる。
【０１２４】
具体的に、上記除湿運転の第２動作時や上記加湿運転の第１動作時には、給気ファン（26）に搬送される空気が第１熱交換器室（37）を通過する。このため、これらの動作時においては、第１湿度センサ（77）が室外空気（OA）の湿度を検出し、第２湿度センサ（79）が供給空気（SA）の湿度を検出することになる。これらの動作時には、給気側制御部（91）が各湿度センサ（77,79）の検出湿度と、現状の圧縮機（53）の運転周波数とを上記給気側データベース関数に当てはめ、給気ファン（26）の現状の給気量を算出する。
【０１２５】
ここで、給気ファン（26）の送風抵抗が増大し、算出した給気量が目標給気量を下回るような場合、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【０１２６】
一方、上記除湿運転の第１動作時や上記加湿運転の第２動作時には、排気ファン（25）に搬送される空気が第１熱交換器室（37）を通過する。このため、これらの動作時においては、上記第１湿度センサ（77）が室内空気（RA）の湿度を検出し、第２湿度センサ（79）が排出空気（EA）の湿度を検出することになる。これらの動作時には、排気側制御部（92）が各湿度センサ（77,79）の検出湿度と、現状の圧縮機（53）の運転周波数とを上記排気側データベース関数に当てはめ、排気ファン（25）の現時点での排気量を算出する。      
【０１２７】
ここで、排気ファン（25）の送風抵抗が増大し、算出した排気量が目標排気量を下回るような場合、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【０１２８】
−実施形態３の効果−
上記実施形態３によれば、第１，第２湿度センサ（77,79）で検出した絶対湿度の変化量に基づいて、各ファン（25,26）の送風量を目標送風量に維持させることができる。このため、実施形態３においても、室内の換気量を確実に一定に保つことができる。
【０１２９】
<湿度センサのその他の配置例>
図１５に示すように、４つの湿度センサ（77,78,79,80）を空気通路に配置するようにしても良い。この例では、外気側流路（32）における外気フィルタ（61）の下流側に第１給気湿度センサ（77）を配置し、内気側流路（34）における内気フィルタ（62）の下流側に第１排気湿度センサ（78）を配置している。また、給気ファン室（36）に第２給気湿度センサ（79）を配置し、排気ファン室（35）に第２排気湿度センサ（80）を配置している。上記第１給気湿度センサ（77）は室外空気（OA）の絶対湿度を、第１排気湿度センサ（78）は室内空気（RA）の絶対湿度を、第２給気湿度センサ（79）は供給空気（SA）の絶対湿度を、第２排気湿度センサ（80）は排出空気（EA）の絶対湿度をそれぞれ検出している。
【０１３０】
この例では、上記実施形態３と異なり、第１動作と第２動作との切り換えに連動せずに、給気ファン（26）及び排気ファン（25）の送風能力が調節される。即ち、給気側制御部（91）は、上記第１給気湿度センサ（77）及び上記第２給気湿度センサ（79）で検出した湿度の変化量に基づいて給気ファン（26）の給気量を目標給気量に維持させるように調節する。一方、排気側制御部（92）は、上記第１排気湿度センサ（78）及び上記第２排気湿度センサ（80）で検出した湿度に基づいて排気ファン（25）の排気量を目標排気量に維持されるように調節する。この例では、各湿度センサを利用して吸着熱交換器（51,52）の調湿能力を制御することで、供給空気（SA）の湿度を目標の湿度に調節することができ、室内の調湿を精度良く行うことが可能となる。
【０１３１】
《発明の実施形態４》
実施形態４の換気装置（10）は、上記実施形態とセンサ及びコントローラの構成が異なるものである。
【０１３２】
<センサ及びコントローラの構成>
図１６に示すように、本実施形態の換気装置（10）の空気通路には、２つの温度センサ（81,82）が設けられている。これらの温度センサは、第１温度センサ（81）と第２温度センサ（82）とで構成されている。
【０１３３】
上記第１温度センサ（81）は、第１熱交換器室（37）における第１吸着熱交換器（51）の上流側に配置されている。この第１温度センサ（81）は、第１吸着熱交換器（51）に調湿される前の空気の温度を検出する。上記第２温度センサ（82）は、第１熱交換器室（37）における第１吸着熱交換器（51）の下流側に配置されている。この第２温度センサ（82）は、第１吸着熱交換器（51）に調湿された後の空気の温度を検出する。
【０１３４】
実施形態４のコントローラ（90）には、上記第１温度センサ（81）及び第２温度センサ（82）で検出した温度が受信される。 また、コントローラ（90）には、換気装置（10）の出荷時又は据え付け時に入力されたデータベース関数を記憶する記憶部（94）が設けられている。
【０１３５】
ところで、空気を吸着熱交換器に通過させる際には、冷媒と空気とが熱交換するため、空気の温度が変化する。この際には、吸着熱交換器を流れる空気の風速に応じて空気の温度変化量が変化する。即ち、例えば吸着熱交換器を流れる空気の風速が早くなるにつれて、吸着熱交換器を流れる冷媒と空気との間の熱伝達率が増大し、空気の温度変化量が増大する。逆にいうと、吸着熱交換器を流通する空気の風速が遅くなる場合には、空気の温度変化量が低下することになる。また、上記吸着熱交換器を通過する空気の温度変化量は、冷媒回路の冷媒循環量、即ち冷媒回路に接続された圧縮機の運転周波数によっても変化する。
【０１３６】
上述した記憶部（94）には、このような特性を利用して給気ファン（26）及び排気ファン（25）の実際の送風量を求めるためのデータベース関数が記憶されている。
【０１３７】
具体的に、上記データベース関数は、給気ファン（26）の実際の給気量を求めるための給気側データベース関数と、排気ファン（25）の実際の排気量を求めるための排気側データベース関数とで構成されている。本実施形態において、上記給気側データベース関数は、室外空気（OA）の温度、供給空気（SA）の温度、及び圧縮機（53）の運転周波数を基本パラメータとしている。上記排気側データベース関数は、室内空気（RA）の温度、排出空気（EA）の温度、及び圧縮機（53）の運転周波数を基本パラメータとしている。なお、各空気の温度は、上記各温度センサ（81,82）で適宜検出されるものであり、吸着熱交換器（51）の前後の空気の温度変化量を求めるためのパラメータである。また、上記圧縮機（53）の運転周波数は、圧縮機（53）からコントローラ（90）に適宜出力されるものであり、上記データベース関数において、冷媒の循環量の変化に起因して吸着熱交換器（51）による空気の温度変化量が変化するのを考慮するためのパラメータである。
【０１３８】
−換気制御動作−
次に、実施形態４の換気装置（10）の換気制御動作について説明する。
【０１３９】
実施形態４では、上述した第１動作と第２動作との切り換えに連動するようにして、給気ファン（26）や排気ファン（25）の換気制御が行われる。
【０１４０】
具体的に、上記除湿運転の第２動作時や上記加湿運転の第１動作時には、給気ファン（26）に搬送される空気が第１熱交換器室（37）を通過する。このため、これらの動作時においては、第１温度センサ（81）が室外空気（OA）の温度を検出し、第２温度センサ（82）が供給空気（SA）の温度を検出することになる。これらの動作時には、給気側制御部（91）が各温度センサ（81,82）の検出温度と、実際の圧縮機（53）の運転周波数とを上記給気側データベース関数に当てはめ、給気ファン（26）の現状の給気量を算出する。
【０１４１】
ここで、給気ファン（26）の送風抵抗が増大し、算出した給気量が目標給気量を下回るような場合、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【０１４２】
一方、上記除湿運転の第１動作時や上記加湿運転の第２動作時には、排気ファン（25）に搬送される空気が第１熱交換器室（37）を通過する。このため、これらの動作時においては、上記温度センサ（81）が室内空気（RA）の温度を検出し、第２温度センサ（82）が排出空気（EA）の温度を検出することになる。これらの動作時には、排気側制御部（92）が各温度センサ（81,82）の検出温度と、実際の圧縮機（53）の運転周波数とを上記排気側データベース関数に当てはめ、排気ファン（25）の実際の排気量を算出する。
【０１４３】
ここで、排気ファン（25）の送風抵抗が増大し、算出した排気量が目標排気量を下回るような場合、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【０１４４】
−実施形態４の効果−
上記実施形態４によれば、第１，第２温度センサ（81,82）で検出した温度の変化量に基づいて、各ファン（25,26）の送風量を目標送風量に維持させることができる。このため、実施形態４においても、室内の換気量を確実に一定に保つことができる。
【０１４５】
なお、図１５に示した上記実施形態３の湿度センサの配置例と同様にして、４つの温度センサを空気通路に配置し、第１動作と第２動作との切り換えに連動せずに、給気ファン（26）及び排気ファン（25）の送風量を制御するようにしても良い。
【０１４６】
《発明の実施形態５》
実施形態５の換気装置（10）は、上記実施形態とセンサ及びコントローラの構成が異なるものである。
【０１４７】
<センサ及びコントローラの構成>
図１７に示すように、本実施形態の換気装置（10）には、給気ファン（26）及び排気ファン（25）に、それぞれ回転数検出手段（85,86）と出力検出手段（87,88）とが電気的に接続されている。上記回転数検出手段は、給気ファン（26）のモータ回転速度を検出する給気側パルスカウンター（85）と、排気ファン（25）のモータ回転速度を検出する排気側パルスカウンター（86）とで構成される。また、上記出力検出手段は、給気ファン（26）のモータ入力電流を検出する給気側入力電流計（87）と、排気ファン（25）のモータ入力電流を検出する排気側入力電流計（88）とで構成される。
【０１４８】
実施形態５のコントローラ（90）には、上記各パルスカウンター（85,86）で検出した各モータ回転速度と、上記各入力電流計（87,88）で検出した各モータ入力電流とが受信される。また、コントローラ（90）には、換気装置（10）の出荷時又は据え付け時に入力されたデータベース関数を記憶する記憶部（94）が設けられている。上記データベース関数は、給気ファン（26）の実際の給気量を求めるための給気側データベース関数と、排気ファン（25）の実際の排気量を求めるための排気側データベース関数とで構成されている。本実施形態において、上記給気側データベース関数は、給気ファン（26）についてのモータ回転速度及びモータ入力電流値を基本パラメータとしている。また、上記排気側データベース関数は、排気ファン（25）についてのモータ回転速度及びモータ入力電流値を基本パラメータとしている。
【０１４９】
−換気制御動作−
次に、実施形態５の換気装置（10）の換気制御動作について説明する。
【０１５０】
実施形態５では、給気ファン（26）及び排気ファン（25）の運転状態が上記各パルスカウンター（85,86）及び各入力電流計（87,88）によって適宜モニタリングされる。
【０１５１】
例えば外気フィルタ（61）の目詰まり等に起因して給気ファン（26）の送風抵抗が増大すると、給気ファン（26）のモータのトルクの増大に伴って給気ファン（26）のモータ回転速度が減少する。給気側制御部（91）は、給気側パルスカウンター（85）で検出した現状のモータ回転速度と、給気側入力電流計（87）で検出した現状のモータ入力電流値とを上記給気側データベース関数に当てはめ、給気ファン（26）の実際の給気量を算出する。更に、給気側制御部（91）は、算出した給気量を目標給気量に近づけるために必要なモータ回転速度を、上記給気側データベース関数を利用して算出・更新し、給気ファン（26）の現状のモータ回転速度をこの必要モータ回転速度まで増加させる。その結果、給気ファン（26）の給気量が増大して目標給気量に維持される。
【０１５２】
一方、例えば内気フィルタ（62）の目詰まり等に起因して排気ファン（25）の送風抵抗が増大すると、排気ファン（25）のモータのトルクの増大に伴って排気ファン（25）のモータ回転速度が減少する。排気側制御部（92）は、排気側パルスカウンター（86）で検出したモータ回転速度と、排気側入力電流計（88）で検出したモータ入力電流値とを上記排気側データベース関数に当てはめ、排気ファン（25）の現状の排気量を算出する。更に、給気側制御部（91）は、算出した排気量を目標排気量に近づけるために必要なモータ回転速度を上記排気側データベース関数を利用して算出・更新し、排気ファン（25）の現状のモータ回転速度をこの必要モータ回転速度まで増加させる。その結果、排気ファン（25）の排気量が増大して目標排気量に維持される。
【０１５３】
−実施形態５の効果−
上記実施形態５によれば、上述した風速センサや圧力センサなどを空気通路に配置することなく、各ファン（25,26）の送風量を推定し、各ファン（25,26）の送風量を目標送風量に維持させることができる。このため、換気装置（10）をシンプルに構成することができる。
【０１５４】
なお、上記実施形態５では、出力検出手段（86,88）で各ファン（25,26）のモータ入力電流を適宜検出するようにしているが、この出力検出手段（86,88）で各ファン（25,26）のモータ入力電力を検出し、このモータ入力電力とモータ回転速度とに基づいて各ファン（25,26）の送風能力を調節するようにしても良い。
【０１５５】
《その他の実施形態》
上記実施形態では、換気装置（10）が次のように構成されていてもよい。ここでは、換気装置（10）の変形例について説明する。
【０１５６】
−第１変形例−
図１８に示すように、第１変形例の換気装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えており、それぞれ空調手段を構成している。また、各吸着素子（111,112）には多数の空気孔が形成されており、この空気孔を通過する際に空気が吸着剤と接触する。
【０１５７】
この換気装置（10）は、第１動作と第２動作を繰り返す。図１８(Ａ)に示すように、第１動作中の換気装置（10）は、凝縮器（102）で加熱された空気を第１吸着素子（111）へ供給して吸着剤を再生する一方、第２吸着素子（112）に水分を奪われた空気を蒸発器（104）で冷却する。また、図１８(Ｂ)に示すように、第２動作中の換気装置（10）は、凝縮器（102）で加熱された空気を第２吸着素子（112）へ供給して吸着剤を再生する一方、第１吸着素子（111）に水分を奪われた空気を蒸発器（104）で冷却する。そして、この換気装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１５８】
また、第１変形例では、上記実施形態と同様、室外空気を室内へ供給するまでの給気用通路に給気ファンが配置され、室内空気が室外に排出されるまでの排気用通路に排気ファンが配置される。この第１変形例においても、上述した実施形態の風速センサ、圧力センサ、湿度センサ、温度センサ等を利用して、給気ファンや排気ファンの送風量を目標送風量に維持させることができる。
【０１５９】
−第２変形例−
図１９に示すように、第２変形例の換気装置（10）は、空調手段としての調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。
【０１６０】
この換気装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この換気装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１６１】
また、第２変形例では、上記実施形態と同様、室外空気を室内へ供給するまでの給気用通路に給気ファンが配置され、室内空気が室外に排出されるまでの排気用通路に排気ファンが配置される。この第２変形例においても、上述した実施形態の風速センサ、圧力センサ、湿度センサ、温度センサ等を利用して、給気ファンや排気ファンの送風量を目標送風量に維持させることができる。
【０１６２】
−その他の変形例−
上記実施形態の排気用通路に取り込まれる室内空気（RA）の臭気成分濃度を検出する臭気センサを配置し、この臭気センサが検出した臭気成分濃度に応じて排気ファン（25）の送風能力を調節するようにしてもよい。この例では、例えば室内での喫煙に応じて臭気センサの検出濃度が増大した場合に、排気ファン（25）の送風能力を増大させる風量制御が行われる。つまり、この例では、室内の臭気発生状況に応じて排気ファン（25）の送風量を適宜調節することで、室内の臭気成分濃度を確実に一定濃度以下に維持することができ、室内の清浄性を保つことができる。
【０１６３】
また同様にして、排気用通路に流入する室内空気（RA）の粉塵濃度を検出する粉塵センサを配置し、この粉塵センサが検出した粉塵濃度に応じて排気ファン（25）の送風能力を調節するようにしてもよい。この例においても、例えば室内の粉塵濃度が増大して粉塵センサの検出濃度が増大した場合に、排気ファン（25）の送風能力を増大させる風量制御が行われる。つまり、この例では、室内の粉塵発生状況に応じて排気ファン（25）の送風量を適宜調節することで、室内の粉塵濃度を確実に一定濃度以下に維持することができ、室内の清浄性を保つことができる。
【０１６４】
また、上述した実施形態では、給気ファン（26）や排気ファン（25）の送風抵抗の増大に応じて、各ファン（25,26）のモータ回転速度を増大させるようにしている。しかしながら、例えば台風時などに室外の圧力が低下して各ファン（25,26）の送風抵抗が低下する場合には、逆に各ファン（25,26）のモータ回転速度を低減変化させることもできる。この場合には、各ファン（25,26）の実際の送風量が目標送風量を上回ってしまうことを回避でき、かつ各ファン（25,26）の動力を低減させて消費電力を節約することができる。
【０１６５】
更に、上記実施形態では、給気ファン（26）と排気ファン（25）の双方の送風量を個別に制御するようにしている。しかしながら、制御手段（90）によって、例えば給気ファン（26）のみの送風能力を調節するようにしてもよいし、排気ファン（25）のみの送風能力を調節するようにしてもよい。
【０１６６】
また、上記実施形態では、表面に吸着剤を担持した吸着熱交換器を空調手段としている。しかしながら、この空調手段は、周知の技術である全熱交換器や、冷媒回路に接続されて空気と冷媒との間で顕熱の交換を行う熱交換器（顕熱交換器）で構成されていてもよい。
【０１６７】
なお、以上の実施形態は、本質的に好ましい例示であって、本発明、その適用物、あるいはその用途の範囲を制限することを意図するものではない。
【産業上の利用可能性】
【０１６８】
以上説明したように、本発明は、空気の調湿や温調を行う空調手段を備えた換気装置について有用である。
【図面の簡単な説明】
【０１６９】
【図１】実施形態１の換気装置の概略構成を示す斜視図である。
【図２】換気装置の概略構成を示す平面視、右側面視、及び左側面視の構成図である。
【図３】冷媒回路の構成を示す配管系統図であって、(Ａ)は第１動作中の動作を示すものであり、(Ｂ)は第２動作中の動作を示すものである。
【図４】吸着熱交換器の概略斜視図である。
【図５】制御手段の概略構成図である。
【図６】除湿運転の第１動作中における空気の流れを示す換気装置の概略構成図である。
【図７】除湿運転の第２動作中における空気の流れを示す換気装置の概略構成図である。
【図８】加湿運転の第１動作中における空気の流れを示す換気装置の概略構成図である。
【図９】加湿運転の第２動作中における空気の流れを示す換気装置の概略構成図である。
【図１０】風速センサのその他の配置例を示す換気装置の概略構成図である。
【図１１】実施形態２の換気装置の概略構成を示す平面視、右側面視、及び左側面視の構成図である。
【図１２】圧力センサのその他の配置例を示す換気装置の概略構成図である。
【図１３】実施形態３の換気装置の概略構成を示す平面視、右側面視、及び左側面視の構成図である。
【図１４】制御手段の概略構成図である。
【図１５】湿度センサのその他の配置例を示す換気装置の概略構成図である。
【図１６】実施形態４の換気装置の概略構成を示す平面視、右側面視、及び左側面視の構成図である。
【図１７】実施形態５の換気装置の概略構成を示す平面視、右側面視、及び左側面視の構成図である。
【図１８】その他の実施形態の第１変形例における換気装置の概略構成図であって、(Ａ)は第１動作中の動作を示すものであり、(Ｂ)は第２動作中の動作を示すものである。
【図１９】その他の実施形態の第２変形例における調湿ユニットの概略斜視図である。
【符号の説明】
【０１７０】
10     換気装置
11     ケーシング
25,26  排気ファン，給気ファン（送風ファン）
51,52  吸着熱交換器（空調手段）
61,62  外気フィルタ，内気フィルタ（フィルタ）
71,72  給気風速センサ，排気風速センサ（風速センサ）
73,74  第１給気圧力センサ，第１排気圧力センサ（第１圧力センサ）
75,76  第２給気圧力センサ，第２排気圧力センサ（第２圧力センサ）
77,78  第１給気湿度センサ，第１排気湿度センサ（第１湿度センサ）
79,80  第２給気湿度センサ，第２排気湿度センサ（第２湿度センサ）
81     第１温度センサ
82     第２温度センサ
85,86  給気側パルスカウンター，排気側パルスカウンター（回転数検出手段）
87,88  給気側入力電流計，排気側入力電流計（入力検知手段）
90     コントローラ（制御手段）
91     給気側制御部
92     排気側制御部
【図１】
2007010216.tif 000003
【図２】
2007010216.tif 000004
【図３】
2007010216.tif 000005
【図４】
2007010216.tif 000006
【図５】
2007010216.tif 000007
【図６】
2007010216.tif 000008
【図７】
2007010216.tif 000009
【図８】
2007010216.tif 000010
【図９】
2007010216.tif 000011
【図１０】
2007010216.tif 000012
【図１１】
2007010216.tif 000013
【図１２】
2007010216.tif 000014
【図１３】
2007010216.tif 000015
【図１４】
2007010216.tif 000016
【図１５】
2007010216.tif 000017
【図１６】
2007010216.tif 000018
【図１７】
2007010216.tif 000019
【図１８】
2007010216.tif 000020
【図１９】
2007010216.tif 000021
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
室内と室外とを連通させるための空気通路を形成するケーシング（11）と、
上記空気通路に配置されて空気を搬送する送風ファン（25,26）と、
上記空気通路に配置されて空気の湿度調節又は温度調節のいずれかを少なくとも行う空調手段（51,52,111,112,150）とを備えた換気装置であって、
上記空調手段（51,52,111,112,150）は、空気中の水分を吸脱着する吸着剤を備え、該吸着剤と空気を接触させて空気の調湿を行うように構成され、
空気通路における上記空調手段（51,52,111,112,150）の上流側に配置される第１湿度センサ（77,78）と、空気通路における空調手段（51,52,111,112,150）の下流側に配置される第２湿度センサ（79,80）と、送風ファン（25,26）の送風抵抗が変化しても、該送風ファン（25,26）の送風量が目標送風量に維持されるように送風ファン（25,26）の送風能力を調節する制御手段（90）とを備え、
上記制御手段（90）は、上記第１湿度センサ（77,78）で検出した湿度と、第２湿度センサ（79,80）で検出した湿度とに基づいて、空調手段（51,52,111,112,150）の前後の空気の湿度変化量を求め、該湿度変化量に基づいて送風ファン（25,26）の現状の送風量を算出すると共に、算出した現状の送風量が目標送風量に近づくように送風ファン（25,26）の送風能力を調節することを特徴とする換気装置。
【請求項２】
請求項１において、
圧縮機（53）が設けられて、冷凍サイクルを行う冷媒回路（50）を備え、
上記空調手段は、上記吸着剤が担持されて上記冷媒回路（50）に設けられると共に、冷媒で加熱又は冷却した吸着剤と空気とを接触させる吸着熱交換器（51,52）で構成され、
上記制御手段（90）は、上記吸着熱交換器（51,52）の前後の空気の湿度変化量と、上記圧縮機（53）の運転周波数とに基づいて送風ファン（25,26）の現状の送風量を算出することを特徴とする換気装置。
【請求項３】
室内と室外とを連通させるための空気通路を形成するケーシング（11）と、
上記空気通路に配置されて空気を搬送する送風ファン（25,26）と、
上記空気通路に配置されて空気の湿度調節又は温度調節のいずれかを少なくとも行う空調手段（51,52,111,112,150）とを備えた換気装置であって、
上記空調手段（51,52,111,112,150）は、空気と接触して空気の温調を行うように構成され、
空気通路における上記空調手段（51,52,111,112,150）の上流側に配置される第１温度センサ（81）と、空気通路における空調手段（51,52,111,112,150）の下流側に配置される第２温度センサ（82）と、送風ファン（25,26）の送風抵抗が変化しても、該送風ファン（25,26）の送風量が目標送風量に維持されるように送風ファン（25,26）の送風能力を調節する制御手段（90）とを備え、
上記制御手段（90）は、上記第１温度センサ（81）で検出した温度と、第２温度センサ（82）で検出した温度とに基づいて、空調手段（51,52,111,112,150）の前後の空気の温度変化量を求め、該温度変化量に基づいて送風ファン（25,26）の現状の送風量を算出すると共に、算出した現状の送風量が目標送風量に近づくように送風ファン（25,26）の送風能力を調節することを特徴とする換気装置。
【請求項４】
請求項３において、
圧縮機（53）が設けられて、冷凍サイクルを行う冷媒回路（50）を備え、
上記空調手段は、上記吸着剤が担持されて上記冷媒回路（50）に設けられると共に、冷媒で加熱又は冷却した吸着剤と空気とを接触させる吸着熱交換器（51,52）で構成され、
上記制御手段（90）は、上記吸着熱交換器（51,52）の前後の空気の温度変化量と、上記圧縮機（53）の運転周波数とに基づいて送風ファン（25,26）の現状の送風量を算出することを特徴とする換気装置。
【手続補正２】
【補正対象書類名】明細書
【補正対象項目名】全文
【補正方法】変更
【補正の内容】
【発明の詳細な説明】
【技術分野】
【０００１】
本発明は、室内の換気を行う換気装置に関し、特に、ケーシング内の空気通路に空気の温調や調湿を行う空調手段が配置されている換気装置の換気制御に係るものである。
【背景技術】
【０００２】
従来より、室内の清浄性、あるいは快適性を維持するために室内の換気を行う換気装置が知られている。例えばこの換気装置は、室内空気を排気ファンで室外に排出する一方、この排出空気に相当する量の室外空気を給気ファンで室内に供給し、室内の二酸化炭素濃度等を所定の基準値以下に保つようにしている。
【０００３】
特許文献１には、上述のような換気装置に空気の調湿や温調を行うための空調手段を具備したものが開示されている。この換気装置には、ケーシング内の空気通路に、上記空調手段として２つの吸着熱交換器が配置されている。これらの吸着熱交換器は、フィン・アンドチューブ型の熱交換器に水分の吸脱着を行う吸着剤が担持されて構成されている。また、これらの吸着熱交換器は、冷媒を循環させて冷凍サイクルを行う冷媒回路に接続されている。各吸着熱交換器は、一方の吸着熱交換器が蒸発器として機能し、他方の吸着熱交換器が凝縮器として機能する。また、上記空気通路には、室外の空気を室内に供給するための給気ファンと、室内の空気を室外に排出するための排気ファンとが配置されている。
【０００４】
この換気装置では、室内を除湿しながら換気する運転と、室内を加湿しながら換気する運転とが行われる。具体的に、除湿運転時には、室外空気が蒸発器となる吸着熱交換器を通過する。この吸着熱交換器では、冷媒によって吸着剤が冷却されており、空気中の水分が吸着剤に吸着されると同時に、この際生じる吸着熱が冷媒に奪われる。以上のようにして除湿された空気は室内へ供給され、この室内の除湿が行われる。一方、室内空気は凝縮器となる吸着熱交換器を通過する。この吸着熱交換器では、冷媒が吸着剤によって加熱されており、吸着剤から水分が脱離して空気へ放出される。以上のようにして吸着剤の再生に利用された空気は室外へ排出される。
【０００５】
一方、加湿運転時には、室外空気が凝縮器となる吸着熱交換器を通過する。この吸着熱交換器では、冷媒によって吸着剤が加熱されており、吸着剤から水分が脱離して室外空気へ放出される。以上のようにして加湿された空気は室内へ供給され、室内の加湿が行われる。一方、室内空気は蒸発器となる吸着熱交換器を通過する。この吸着熱交換器では、冷媒によって吸着剤が冷却されており、空気中の水分が吸着剤に吸着されると同時にこの際生じる吸着熱が冷媒に奪われる。以上のようにして吸着剤に水分を付与した空気は室外へ排出される。
【０００６】
以上のように、この換気装置では、室外空気を室内に供給すると同時に室内空気を室外に排出して室内の換気を行いながら、更に室内の空調を行うことで、室内の清浄性・快適性を確保するようにしている。
【特許文献１】特開２００４−２９４０４８号公報
【発明の開示】
【発明が解決しようとする課題】
【０００７】
上述の吸着熱交換器等の空調手段を空気通路に配置した換気装置では、室外空気が空調手段を必ず通過してから室内に供給されることになる。このため、例えば特許文献１の換気装置を長期に亘って運転する場合には、室外空気中の塵埃が吸着熱交換器のフィンや吸着剤の表面に付着して次第に蓄積していく。したがって、吸着熱交換器を流れる空気の圧力損失が増大して送風ファンの送風抵抗も増大すると、この送風ファンの送風量が低下してしまう。その結果、室内の必要な換気量を一定に保つことが困難となり、室内の清浄性・快適性が損なわれてしまう。
【０００８】
また、上記吸着熱交換器等の空調手段における塵埃の付着を防止するために、空調手段の空気上流側に塵埃を捕集するフィルタを配置することが考えられる。しかしこの場合には、換気装置の長期の運転に伴って上記フィルタに塵埃が蓄積していくので、やはり送風ファンの送風抵抗が増大してしまい、室内の換気量を一定に保つことが困難となる。
【０００９】
本発明は、かかる点に鑑みてなされたものであり、その目的は、室内の空調を行う空調手段を備える換気装置において、送風ファンの送風抵抗に依らずに室内の換気を確実に行えるようにすることである。
【課題を解決するための手段】
【００１０】
第１の発明は、室内と室外とを連通させるための空気通路を形成するケーシング（11）と、上記空気通路に配置されて空気を搬送する送風ファン（25,26）と、上記空気通路に配置されて空気の湿度調節又は温度調節のいずれかを少なくとも行う空調手段（51,52,111,112,150）とを備えた換気装置を前提としている。そして、この換気装置は、上記空調手段（51,52,111,112,150）は、空気中の水分を吸脱着する吸着剤を備え、該吸着剤と空気を接触させて空気の調湿を行うように構成され、空気通路における上記空調手段（51,52,111,112,150）の上流側に配置される第１湿度センサ（77,78）と、空気通路における空調手段（51,52,111,112,150）の下流側に配置される第２湿度センサ（79,80）と、送風ファン（25,26）の送風抵抗が変化しても、該送風ファン（25,26）の送風量が目標送風量に維持されるように送風ファン（25,26）の送風能力を調節する制御手段（90）とを備え、上記制御手段（90）は、上記第１湿度センサ（77,78）で検出した湿度と、第２湿度センサ（79,80）で検出した湿度とに基づいて、空調手段（51,52,111,112,150）の前後の空気の湿度変化量を求め、該湿度変化量に基づいて送風ファン（25,26）の現状の送風量を算出すると共に、算出した現状の送風量が目標送風量に近づくように送風ファン（25,26）の送風能力を調節することを特徴とするものである。
【００１１】
第１の発明では、空気通路に配置された送風ファン（25,26）が運転されると、室内と室外との間で空気の搬送が行われ、室内の換気が行われる。また、送風ファン（25,26）によって搬送される空気は、空調手段（51,52）で湿度調節、あるいは温度調節されて室内に供給され、室内の調湿や温調がなされる。
【００１２】
ところで、例えば室外空気が空調手段（51,52）を通過してから室内に供給される場合には、室外空気中の塵埃が空調手段（51,52）の表面に付着して次第に蓄積する。このため、空調手段（51,52）を流れる空気の圧力損失が増大し、送風ファン（25,26）の送風抵抗も増大してしまう。
【００１３】
本発明では、例えば上記送風ファン（25,26）の送風抵抗が増大して、送風ファン（25,26）の送風量が目標送風量を下回ってしまうような条件になると、制御手段（90）が送風ファン（25,26）の送風能力を増大させ、この送風ファン（25,26）の送風量が目標送風量を保つように制御する。
【００１４】
第１の発明では、空気が空調手段（51,52）を通過して吸着剤に接触すると、吸着剤と空気との間で水分の供与が行われ、この空気が調湿される。
【００１５】
ところで、空気を空調手段（51,52）の吸着剤で調湿する場合には、空調手段（51,52）を流れる空気の風速に応じて空調手段（51,52）による空気の調湿量（空調手段の前後の空気の湿度変化量）が変化する。即ち、例えば空調手段（51,52）を流通する空気の風速が早くなるにつれ、空調手段（51,52）を通過する空気流の乱れが大きくなり、空気と吸着剤との間における水分の授受が促進される。したがって、空調手段（51,52）による空気の調湿量が増大する。逆にいうと、空調手段（51,52）を流通する空気の風速が遅くなる場合には、空調手段（51,52）による空気の調湿量が低下することになる。
【００１６】
本発明では、このような空調手段（51,52）における風速と調湿量との関係を利用して送風ファン（25,26）の送風量が調節される。具体的に、制御手段（90）は、空調手段（51,52）の上流側の第１湿度センサ（77,78）の検出湿度と、空調手段（51,52）の下流側の第２湿度センサ（79,80）の検出湿度とに基づいて、空調手段（51,52）の前後の空気の湿度変化量を算出する。そして、制御手段（90）は、空調手段（51,52）を流れる空気の風速と、この際の空調手段（51,52）による空気の調湿量との関係から、送風ファン（25,26）の現状の送風量を推定し、この送風量が目標送風量に近づくように送風ファン（25,26）の送風能力を調節する。その結果、送風ファン（25,26）の送風抵抗が変化しても、送風ファン（25,26）の送風量が目標送風量に保たれる。
【００１７】
第２の発明は、第１の発明において、圧縮機（53）が設けられて、冷凍サイクルを行う冷媒回路（50）を備え、上記空調手段は、上記吸着剤が担持されて上記冷媒回路（50）に設けられると共に、冷媒で加熱又は冷却した吸着剤と空気とを接触させる吸着熱交換器（51,52）で構成され、上記制御手段（90）は、上記吸着熱交換器（51,52）の前後の空気の湿度変化量と、上記圧縮機（53）の運転周波数とに基づいて送風ファン（25,26）の現状の送風量を算出することを特徴とするものである。
【００１８】
第３の発明は、室内と室外とを連通させるための空気通路を形成するケーシング（11）と、上記空気通路に配置されて空気を搬送する送風ファン（25,26）と、上記空気通路に配置されて空気の湿度調節又は温度調節のいずれかを少なくとも行う空調手段（51,52,111,112,150）とを備えた換気装置を前提としている。そして、この換気装置は、上記空調手段（51,52,111,112,150）は、空気と接触して空気の温調を行うように構成され、空気通路における上記空調手段（51,52,111,112,150）の上流側に配置される第１温度センサ（81）と、空気通路における空調手段（51,52,111,112,150）の下流側に配置される第２温度センサ（82）と、送風ファン（25,26）の送風抵抗が変化しても、該送風ファン（25,26）の送風量が目標送風量に維持されるように送風ファン（25,26）の送風能力を調節する制御手段（90）とを備え、上記制御手段（90）は、上記第１温度センサ（81）で検出した温度と、第２温度センサ（82）で検出した温度とに基づいて、空調手段（51,52,111,112,150）の前後の空気の温度変化量を求め、該温度変化量に基づいて送風ファン（25,26）の現状の送風量を算出すると共に、算出した現状の送風量が目標送風量に近づくように送風ファン（25,26）の送風能力を調節することを特徴とするものである。
【００１９】
第３の発明では、空気が空調手段（51,52）に接触することで、この空気が温調される。ところで、空気と空調手段（51,52）とを接触させて空気を温調する場合には、空調手段（51,52）を流れる空気の風速に応じて空調手段（51,52）による空気の温度変化量が変化する。即ち、例えば空調手段（51,52）を流れる空気の風速が早くなるにつれて、空調手段（51,52）と空気との間の熱伝達率が増大し、この空調手段（51,52）による空気の温度変化量が増大する。逆にいうと、空調手段（51,52）を流通する空気の風速が遅くなる場合には、空調手段（51,52）による空気の温度変化量が低下することになる。
【００２０】
本発明では、このような空調手段（51,52）における風速と温度変化量との関係を利用して送風ファン（25,26）の送風量が調節される。具体的に、制御手段（90）は、空調手段（51,52）の上流側の第１温度センサ（81）の検出温度と、空調手段（51,52）の下流側の第２温度センサ（82）の検出温度とに基づいて、空調手段（51,52）の前後の空気の温度変化量を算出する。そして、制御手段（90）は、上述した空調手段（51,52）を流れる空気の速度と、該空調手段（51,52）による空気の温度変化量との関係から、送風ファン（25,26）の現状の送風量を推定し、この送風量が目標送風量に近づくように送風ファン（25,26）の送風能力を調節する。その結果、送風ファン（25,26）の送風抵抗が変化しても、送風ファン（25,26）の送風量が目標送風量に保たれる。
【００２１】
第４の発明は、第３の発明において、圧縮機（53）が設けられて、冷凍サイクルを行う冷媒回路（50）を備え、上記空調手段は、上記吸着剤が担持されて上記冷媒回路（50）に設けられると共に、冷媒で加熱又は冷却した吸着剤と空気とを接触させる吸着熱交換器（51,52）で構成され、上記制御手段（90）は、上記吸着熱交換器（51,52）の前後の空気の温度変化量と、上記圧縮機（53）の運転周波数とに基づいて送風ファン（25,26）の現状の送風量を算出することを特徴とするものである。
【発明の効果】
【００２２】
本発明では、空調手段（51,52）における塵埃の蓄積などに起因して、送風ファン（25,26）の送風抵抗が変化する場合にも、制御手段（90）が送風ファン（25,26）の送風能力を調節し、この送風ファン（25,26）の送風量を目標送風量に保つようにしている。このため、換気装置を長期に亘って使用しても、室内の換気量を一定に保つことができる。したがって、この換気装置によって室内の清浄性・快適性を確実に保つことができ、この換気装置の信頼性の向上を図ることができる。
【００２３】
第１の発明によれば、湿度センサ（77,78,79,80）を利用して送風ファン（25,26）の送風量を確実に目標送風量に保つことができる。また、各湿度センサ（77,78,79,80）の検出湿度に基づいて空調手段（51,52）の調湿能力を制御することで、室内の湿度調整を精度良く行うことが可能となる。
【００２４】
第３の発明によれば、温度センサ（81,82）を利用して送風ファン（25,26）の送風量を確実に目標送風量に保つことができる。また、この温度センサ（81,82）の検出湿度に基づいて空調手段（51,52）の温調能力を制御することで、室内の温度調整を精度良く行うことが可能となる。
【発明を実施するための最良の形態】
【００２５】
《発明の参考形態１》
本発明の参考形態１について説明する。本参考形態の換気装置（10）は、室外空気（OA）を室内へ供給すると同時に室内空気（RA）を室外に排出するものである。また、この換気装置（10）は、室内の調湿機能を具備しており、室内の除湿と加湿とが可能となっている。
【００２６】
〈換気装置の全体構成〉
上記換気装置（10）について、図１及び図２を参照しながら説明する。尚、ここでの説明で用いる「上」「下」「左」「右」「前」「後」「手前」「奥」は、特にことわらない限り、上記換気装置（10）を前面側から見た場合の方向を意味している。
【００２７】
上記換気装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２８】
上記ケーシング（11）は、やや扁平で高さが比較的低い直方体状に形成されている。このケーシング（11）では、図１における左手前側に前面パネル（12）が、同図における右奥側に背面パネル（13）がそれぞれ立設されている。このケーシング（11）は、前後方向の幅と左右方向の幅とが略同一の長さとなっている。
【００２９】
ケーシング（11）の前面パネル（12）では、左寄りの位置に排気口（21）が、右寄りの位置に給気口（22）がそれぞれ開口している。ケーシング（11）の背面パネル（13）の中央部には、上側寄りの位置に外気吸込口（23）が、下側寄りの位置に内気吸込口（24）がそれぞれ開口している。
【００３０】
上記ケーシング（11）の内部空間は、前面パネル（12）側の部分と背面パネル（13）側の部分とに区画されている。
【００３１】
上記ケーシング（11）内における前面パネル（12）側の空間は、左右２つの空間に仕切られている。この左右に仕切られた空間は、左寄りの空間が排気ファン室（35）を、右寄りの空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００３２】
一方、上記ケーシング（11）内の背面パネル（13）側の空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）は上記背面パネル（13）側寄りに、第２仕切板（17）は上記前面パネル（12）側寄りにそれぞれ配置されている。
【００３３】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。この外気側流路（32）には、ケーシング（11）の左右の内壁に亘って横断するように外気フィルタ（61）が配置されている。この外気フィルタ（61）は、外気吸込口（23）から取り込まれる室外空気中の塵埃を捕集する。内気側流路（34）は内気吸込口（24）を介して室内と連通している。この内気側流路（34）には、ケーシング（11）の左右の内壁に亘って横断するように内気フィルタ（62）が配置されている。この内気フィルタ（62）は、内気吸込口（24）から取り込まれる室内空気中の塵埃を捕集する。
【００３４】
第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。
【００３５】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００３６】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００３７】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００３８】
以上のようにして、ケーシング（11）には、空気通路が形成されている。この空気通路は、上記外気側流路（32）、各熱交換器室（37,38）、給気側流路（33）、及び給気ファン室（36）までの給気用通路と、上記内気側流路（34）、各熱交換器室（37,38）、排気側流路（31）、及び排気ファン室（35）までの排気用通路とで構成される（空気の流れについての詳細は後述する）。
【００３９】
〈冷媒回路の構成〉
上記冷媒回路（50）について、図３を参照しながら説明する。
【００４０】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００４１】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００４２】
上記四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４３】
図４に示すように、第１吸着熱交換器（51）及び第２吸着熱交換器（52）は、本発明の空調手段を構成しており、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００４４】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００４５】
<センサ及びコントローラの構成>
本参考形態の換気装置（10）は、給気風速センサ（71）、排気風速センサ（72）、及びコントローラ（90）を備えている。
【００４６】
図２に示すように、上記給気風速センサ（71）は、上記外気側流路（32）における外気吸込口（23）の近傍であって、上記外気フィルタ（61）の下流側に配置されている。この給気風速センサ（71）は、外気側流路（32）を流れる空気の風速を検出する。上記排気風速センサ（72）は、上記内気側流路（34）における内気吸込口（24）の近傍であって、上記内気フィルタ（62）の下流側に配置されている。この排気風速センサ（72）は、内気側流路（34）を流れる空気の風速を検出する。
【００４７】
図５に示すコントローラ（90）は、給気ファン（26）及び排気ファン（25）の各送風能力を調節する制御手段を構成している。このコントローラ（90）には、給気側制御部（91）、排気側制御部（92）、及び設定部（93）が設けられている。上記設定部（93）には、室内への供給空気（SA）の目標給気量と、室外への排出空気（EA）の目標排気量とが設定される。これら目標給気量や目標排気量は、換気装置（10）の導入時において室内条件に応じて業者が適宜決定するものであってもよいし、ユーザーがリモコン等で適宜変更・決定するものであってもよい。
【００４８】
上記給気側制御部（91）には、上記給気風速センサ（71）で検出した風速が適宜受信される。給気側制御部（91）は、給気風速センサ（71）で検出した風速に基づいて給気ファン（26）の送風量を上記目標給気量に維持させるよう、該給気ファン（26）のモータ回転速度を調節する。上記排気側制御部（92）には、上記排気風速センサ（72）で検出した風速が適宜受信される。排気側制御部（92）は、排気風速センサ（72）で検出した風速に基づいて排気ファン（25）の送風量を上記目標排気量に維持させるように、該排気ファン（25）のモータ回転速度を調節する。なお、コントローラ（90）による各ファン（25,26）の風量制御の詳細は後述する。
【００４９】
−運転動作−
本参考形態の換気装置（10）では、除湿運転と加湿運転とが行われる。除湿運転中や加湿運転中の換気装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の換気装置（10）は、室内の換気を行っている。
【００５０】
〈除湿運転〉
除湿運転中の換気装置（10）では、給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。また、除湿運転中の換気装置（10）では、第１動作と第２動作が所定の時間間隔（例えば３分間隔）で交互に繰り返される。
【００５１】
除湿運転時の第１動作について説明する。
【００５２】
この第１動作中の冷媒回路（50）では、図３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００５３】
図６に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。
【００５４】
外気吸込口（23）から外気側流路（32）へ流入した第１空気は、第２ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第８ダンパ（48）を通って給気側流路（33）へ流入し、給気ファン室（36）を通過後に給気口（22）を通って室内へ供給される。
【００５５】
一方、内気吸込口（24）から内気側流路（34）へ流入した第２空気は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第５ダンパ（45）を通って排気側流路（31）へ流入し、排気ファン室（35）を通過後に排気口（21）を通って室外へ排出される。
【００５６】
除湿運転時の第２動作について説明する。
【００５７】
この第２動作中の冷媒回路（50）では、図３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第２吸着熱交換器（52）が凝縮器となって第１吸着熱交換器（51）が蒸発器となる。
【００５８】
図７に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００５９】
外気吸込口（23）から外気側流路（32）へ流入した第１空気は、第１ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第７ダンパ（47）を通って給気側流路（33）へ流入し、給気ファン室（36）を通過後に給気口（22）を通って室内へ供給される。
【００６０】
一方、内気吸込口（24）から内気側流路（34）へ流入した第２空気は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第６ダンパ（46）を通って排気側流路（31）へ流入し、排気ファン室（35）を通過後に排気口（21）を通って室外へ排出される。
【００６１】
〈加湿運転〉
加湿運転中の換気装置（10）では、給気ファン（26）及び排気ファン（25）が運転される。給気ファン（26）を運転すると、室外空気が外気吸込口（23）からケーシング（11）内へ第２空気として取り込まれる。排気ファン（25）を運転すると、室内空気が内気吸込口（24）からケーシング（11）内へ第１空気として取り込まれる。また、加湿運転中の換気装置（10）では、第１動作と第２動作とが所定の時間間隔（例えば３分間隔）で交互に繰り返される。
【００６２】
加湿運転時の第１動作について説明する。
【００６３】
この第１動作中の冷媒回路（50）では、図３(Ａ)に示すように、四方切換弁（54）が第１状態に設定される。そして、この冷媒回路（50）では、除湿運転の第１動作中と同様に、第１吸着熱交換器（51）が凝縮器となって第２吸着熱交換器（52）が蒸発器となる。
【００６４】
図８に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。
【００６５】
内気吸込口（24）から内気側流路（34）へ流入した第１空気は、第４ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第６ダンパ（46）を通って排気側流路（31）へ流入し、排気ファン室（35）を通過後に排気口（21）を通って室外へ排出される。
【００６６】
一方、外気吸込口（23）から外気側流路（32）へ流入した第２空気は、第１ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第７ダンパ（47）を通って給気側流路（33）へ流入し、給気ファン室（36）を通過後に給気口（22）を通って室内へ供給される。
【００６７】
加湿運転時の第２動作について説明する。
【００６８】
この第２動作中の冷媒回路（50）では、図３(Ｂ)に示すように、四方切換弁（54）が第２状態に設定される。そして、この冷媒回路（50）では、除湿運転の第２動作中と同様に、第２吸着熱交換器（52）が凝縮器となって第１吸着熱交換器（51）が蒸発器となる。
【００６９】
図９に示すように、この第２動作中には、第２ダンパ（42）、第３ダンパ（43）、第５ダンパ（45）、及び第８ダンパ（48）が開状態となり、残りのダンパ（41,44,46,47）が閉状態となる。
【００７０】
内気吸込口（24）から内気側流路（34）へ流入した第１空気は、第３ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第５ダンパ（45）を通って排気側流路（31）へ流入し、排気ファン室（35）を通過後に排気口（21）を通って室外へ排出される。
【００７１】
一方、外気吸込口（23）から外気側流路（32）へ流入した第２空気は、第２ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第８ダンパ（48）を通って給気側流路（33）へ流入し、給気ファン室（36）を通過後に給気口（22）を通って室内へ供給される。
【００７２】
−換気制御動作−
次に、参考形態１の換気装置（10）の換気制御動作について説明する。
【００７３】
上述の除湿運転や加湿運転を長期に亘って運転すると、上述した外気フィルタ（61）に室外空気中の塵埃が徐々に蓄積する。その結果、給気用通路の圧力損失の増大に伴って給気ファン（26）の送風抵抗が増大する。同様に、上述した内気フィルタ（62）に室内空気中の塵埃が徐々に蓄積すると、排気用通路の圧力損失の増大に伴って排気ファン（25）の送風抵抗が増大する。更に、上記吸着熱交換器（51,52）の各フィン（57）の表面に、各フィルタ（61,62）を通過した比較的小さな塵埃が付着して蓄積する場合にも、各送風ファン（25,26）の送風抵抗が増大してしまう。
【００７４】
以上のようにして送風抵抗が増大すると、従来の換気装置であれば、給気ファンや排気ファンの送風量が低下してしまい、室内の必要な換気量を充足させることが困難となってしまう。一方、本参考形態の換気装置（10）では、このように送風抵抗が変化しても、コントローラ（90）によって各送風ファン（25,26）の送風量が目標送風量に維持される。
【００７５】
具体的に、例えば上記外気フィルタ（61）や各吸着熱交換器（51,52）の表面に塵埃が蓄積して給気ファン（26）の送風抵抗が増大すると、給気風速センサ（71）で検出される風速が低下する。給気側制御部（91）は、この風速から給気ファン（26）の現状の給気量を算出する。更に、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【００７６】
また、例えば上記内気フィルタ（62）や各吸着熱交換器（51,52）の表面に塵埃が蓄積して排気ファン（25）の送風抵抗が増大すると、排気風速センサ（72）で検出される風速が低下する。排気側制御部（92）は、この風速から排気ファン（25）の現状の排気量を算出する。更に、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【００７７】
−参考形態１の効果−
以上のように、参考形態１では、給気側通路と排気側通路とにそれぞれ風速センサ（71,72）を配置し、各風速センサ（71,72）で検出した風速に基づいて、各ファン（25,26）の送風量が目標送風量に維持されるように各ファン（25,26）の送風能力を調節するようにしている。このため、給気ファン（26）や排気ファン（25）の送風抵抗が変化しても、室内の換気量を確実に一定に保つことができる。したがって、この換気装置を長期間に亘って使用しても、室内の清浄性や快適性を確実に維持することができ、この換気装置の信頼性の向上を図ることができる。
【００７８】
また、本参考形態では、給気ファン（26）と排気ファン（25）との送風量を個別に制御し、それぞれの目標送風量を維持させるようにしている。このようにすると、例えば給気量より排気量を若干多くして室内を陰圧状態に保ったり、給気量より排気量を若干少なくして室内を陽圧状態に保ったりするような換気制御も可能となる。したがって、この換気装置によって、室内条件に応じた換気を行うことができる。
【００７９】
<風速センサのその他の配置例>
上記参考形態１で上述した風速センサ（71,72）の配置に代えて、上記給気風速センサ（71）を給気側流路（33）や給気ファン室（36）に配置しても良い。また、上記排気風速センサ（72）を排気側流路（31）や排気ファン室（35）に配置しても良い。つまり、上記給気風速センサ（71）は、室外空気（OA）が室内に供給されるまでの給気用通路であれば如何なる箇所に配置されても良い。また、上記排気風速センサ（72）は、室内空気（RA）が室外に排出されるまでの排気用通路であれば如何なる箇所に配置されても良い。
【００８０】
また、例えば図１０に示すように、１つの風速センサ（71）を一方の上記熱交換器室（例えば第１熱交換器室（37））に配置するようにしても良い。この例では、上述した第１動作と第２動作との切り換えに連動するようにして、給気ファン（26）や排気ファン（25）の風量制御が行われる。
【００８１】
具体的に、上記除湿運転の第２動作時や上記加湿運転の第１動作時には、給気ファン（26）に搬送される空気が第１熱交換器室（37）を通過する。このため、これらの動作時において風速センサ（71）で検出した風速は、給気ファン（26）の搬送空気の風速となる。したがって、これらの動作時には、給気側制御部（91）によって、風速センサ（71）の検出した風速に基づいて給気ファン（26）の必要モータ回転速度を適宜更新することで、給気ファン（26）の給気量を目標給気量に維持させることができる。一方、上記除湿運転の第１動作時や上記加湿運転の第２動作時には、排気ファン（25）に搬送される空気が第１熱交換器室（37）を通過する。このため、これらの動作時においては風速センサ（71）で検出した風速は、排気ファン（25）の搬送空気の風速となる。したがって、これらの動作時には、排気側制御部（92）によって、風速センサ（71）の検出した風速に基づいて排気ファン（25）の必要モータ回転速度を適宜更新することで、排気ファン（25）の排気量を目標排気量に維持させることができる。
【００８２】
なお、このような各ファン（25,26）の換気制御を第１動作と第２動作との切り換え毎に必ず行う必要はなく、例えば数時間おき、あるいは１日おきというような間隔で、給気ファン（26）や排気ファン（25）のモータ回転速度を適宜変更するようにしても良い。
【００８３】
《発明の参考形態２》
参考形態２の換気装置（10）は、上記参考形態とセンサ及びコントローラの構成が異なるものである。
【００８４】
<センサ及びコントローラの構成>
図１１に示すように、本参考形態の換気装置（10）の空気通路には、上記参考形態１の風速センサ（71,72）に代えて４つの圧力センサ（73,74,75,76）が設けられている。これらの圧力センサは、第１給気圧力センサ（73）、第１排気圧力センサ（74）、第２給気圧力センサ（75）、及び第２排気圧力センサ（76）で構成されている。
【００８５】
上記第１給気圧力センサ（73）は、上記外気側流路（32）における外気吸込口（23）の近傍であって、上記外気フィルタ（61）の上流側に配置されている。この第１給気圧力センサ（73）は、外気側流路（32）を流れる空気の圧力を検出する。上記第１排気圧力センサ（74）は、上記内気側流路（34）における内気吸込口（24）の近傍であって、上記内気フィルタ（62）の上流側に配置されている。この第１排気圧力センサ（74）は、内気側流路（34）を流れる空気の圧力を検出する。
【００８６】
上記第２給気圧力センサ（75）は、給気ファン室（36）に配置されている。この第２給気圧力センサ（75）は、室内に供給される空気の圧力を検出する。上記第２排気圧力センサ（76）は、排気ファン室（35）に配置されている。この第２排気圧力センサ（76）は、室外に排出される空気の圧力を検出する。
【００８７】
−換気制御動作−
次に、参考形態２の換気装置（10）の換気制御動作について説明する。
【００８８】
例えば上記外気フィルタ（61）や各吸着熱交換器（51,52）の表面に塵埃が蓄積して給気ファン（26）の送風抵抗が増大すると、第１給気圧力センサ（73）の検出圧力と、第２給気圧力センサ（75）の検出圧力との差が増大する。給気側制御部（91）は、これらの検出圧力の差、即ち給気ファン（26）の送風抵抗に基づいて給気ファン（26）の現状の給気量を算出する。更に、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【００８９】
また、例えば上記内気フィルタ（62）や各吸着熱交換器（51,52）の表面に塵埃が蓄積して排気ファン（25）の送風抵抗が増大すると、第１排気圧力センサ（74）の検出圧力と、第２排気圧力センサ（76）の検出圧力との差が増大する。排気側制御部（92）は、これらの検出圧力の差、即ち排気ファン（25）の送風抵抗に基づいて排気ファン（25）の現状の排気量を算出する。更に、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【００９０】
−参考形態２の効果−
上記参考形態２では、各フィルタ（61,62）及び各吸着熱交換器（51,52）を挟み込むようにして各圧力センサ（73,74,75,76）をそれぞれ配置し、各圧力センサ（73,74,75,76）の検出圧力差に基づいて給気ファン（26）や排気ファン（25）の送風能力を調節するようにしている。したがって、各フィルタ（61,62）及び各吸着熱交換器（51,52）の圧力損失の増大に伴って各ファン（25,26）の送風抵抗が増大しても、各ファン（25,26）の送風量を目標送風量に確実に保つことができる。
【００９１】
<圧力センサのその他の配置例>
例えば図１２に示すように、上記参考形態２の第２給気圧力センサ（75）を外気側流路（32）における外気フィルタ（61）の下流側に配置し、上記参考形態２の第２排気圧力センサ（76）を内気側流路（34）における内気フィルタ（62）の下流側に配置するようにしてもよい。
【００９２】
この例では、外気フィルタ（61）及び内気フィルタ（62）の塵埃の蓄積に起因する送風抵抗の変化のみを加味して、各ファン（25,26）の送風能力の調節が行われる。この例は、各フィルタ（61,62）の集塵率が比較的高く設定され、各フィルタ（61,62）で塵埃が目詰まりし易い一方、各吸着熱交換器（51,52）には塵埃が蓄積しにくい構成において有効である。
【００９３】
また、上記参考形態２の第１給気圧力センサ（73）及び第１排気圧力センサ（74）を設けずに、換気装置（10）の機外に大気圧を検出する圧力センサを配置するようにしてもよい。この場合には、上記圧力センサで検出した大気圧と、上述の第２給気圧力センサ（75）の検出圧力との差から給気ファン（26）の送風抵抗を求め、給気ファン（26）の送風能力を調節することが可能となる。また、上記圧力センサで検出した大気圧と、第２排気圧力センサ（76）の検出圧力との差から排気ファン（25）の送風抵抗を求め、排気ファン（25）の送風能力を調節することが可能となる。
【００９４】
《発明の実施形態１》
本発明に係る実施形態１の換気装置（10）は、上記各参考形態とセンサ及びコントローラの構成が異なるものである。
【００９５】
<センサ及びコントローラの構成>
図１３に示すように、本実施形態１の換気装置（10）の空気通路には、２つの湿度センサ（77,78）が設けられている。これらの湿度センサは、第１湿度センサ（77）と第２湿度センサ（79）とで構成されている。
【００９６】
上記第１湿度センサ（77）は、第１熱交換器室（37）における第１吸着熱交換器（51）の上流側に配置されている。この第１湿度センサ（77）は、第１吸着熱交換器（51）に調湿される前の空気の絶対湿度を検出する。上記第２湿度センサ（79）は、第１熱交換器室（37）における第１吸着熱交換器（51）の下流側に配置されている。この第２湿度センサ（79）は、第１吸着熱交換器（51）に調湿された後の空気の絶対湿度を検出する。
【００９７】
実施形態１のコントローラ（90）には、上記第１湿度センサ（77）及び第２湿度センサ（79）で検出した絶対湿度が受信される。 また、図１４に示すように、コントローラ（90）には、換気装置（10）の出荷時又は据え付け時に入力されるデータベース関数を記憶する記憶部（94）が設けられている。
【００９８】
ところで、空気を吸着熱交換器の吸着剤で調湿する場合には、吸着熱交換器を流れる空気の風速に応じて空気の調湿量（空調手段の前後の空気の湿度変化量）が変化する。即ち、例えば吸着熱交換器を流通する空気の風速が早くなるにつれ、吸着熱交換器を通過する空気流の乱れが大きくなり、空気と吸着剤との間における水分の授受が促進される。したがって、吸着熱交換器による空気の調湿量が増大する。逆にいうと、吸着熱交換器を流通する空気の風速が遅くなる場合には、吸着熱交換器による空気の調湿量が低下することになる。また、上記吸着熱交換器による空気の調湿量は、冷媒回路の冷媒循環量、即ち冷媒回路に接続された圧縮機の運転周波数によっても変化する。
【００９９】
上述した記憶部（94）には、このような特性を利用して給気ファン（26）及び排気ファン（25）の実際の送風量を求めるためのデータベース関数が記憶されている。
【０１００】
具体的に、上記データベース関数は、給気ファン（26）の実際の給気量を求めるための給気側データベース関数と、排気ファン（25）の実際の排気量を求めるための排気側データベース関数とで構成されている。上記給気側データベース関数は、室外空気（OA）の絶対湿度、供給空気（SA）の絶対湿度、及び圧縮機（53）の運転周波数を基本パラメータとしている。上記排気側データベース関数は、室内空気（RA）の絶対湿度、排出空気（EA）の絶対湿度、及び圧縮機（53）の運転周波数を基本パラメータとしている。なお、各空気の絶対湿度は、上記各湿度センサ（77,79）で適宜検出されるものであり、吸着熱交換器（51）の前後の空気の湿度変化量を求めるためのパラメータである。また、上記圧縮機（53）の運転周波数は、圧縮機（53）からコントローラ（90）に適宜出力されるものであり、上記データベース関数において、冷媒の循環量の変化に起因して吸着熱交換器（51）による空気の調湿量が変化するのを考慮するためのパラメータである。
【０１０１】
−換気制御動作−
次に、実施形態１の換気装置（10）の換気制御動作について説明する。
【０１０２】
実施形態１では、上述した第１動作と第２動作との切り換えに連動するようにして、給気ファン（26）や排気ファン（25）の換気制御が行われる。
【０１０３】
具体的に、上記除湿運転の第２動作時や上記加湿運転の第１動作時には、給気ファン（26）に搬送される空気が第１熱交換器室（37）を通過する。このため、これらの動作時においては、第１湿度センサ（77）が室外空気（OA）の湿度を検出し、第２湿度センサ（79）が供給空気（SA）の湿度を検出することになる。これらの動作時には、給気側制御部（91）が各湿度センサ（77,79）の検出湿度と、現状の圧縮機（53）の運転周波数とを上記給気側データベース関数に当てはめ、給気ファン（26）の現状の給気量を算出する。
【０１０４】
ここで、給気ファン（26）の送風抵抗が増大し、算出した給気量が目標給気量を下回るような場合、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【０１０５】
一方、上記除湿運転の第１動作時や上記加湿運転の第２動作時には、排気ファン（25）に搬送される空気が第１熱交換器室（37）を通過する。このため、これらの動作時においては、上記第１湿度センサ（77）が室内空気（RA）の湿度を検出し、第２湿度センサ（79）が排出空気（EA）の湿度を検出することになる。これらの動作時には、排気側制御部（92）が各湿度センサ（77,79）の検出湿度と、現状の圧縮機（53）の運転周波数とを上記排気側データベース関数に当てはめ、排気ファン（25）の現時点での排気量を算出する。      
【０１０６】
ここで、排気ファン（25）の送風抵抗が増大し、算出した排気量が目標排気量を下回るような場合、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【０１０７】
−実施形態１の効果−
上記実施形態１によれば、第１，第２湿度センサ（77,79）で検出した絶対湿度の変化量に基づいて、各ファン（25,26）の送風量を目標送風量に維持させることができる。このため、実施形態１においても、室内の換気量を確実に一定に保つことができる。
【０１０８】
<湿度センサのその他の配置例>
図１５に示すように、４つの湿度センサ（77,78,79,80）を空気通路に配置するようにしても良い。この例では、外気側流路（32）における外気フィルタ（61）の下流側に第１給気湿度センサ（77）を配置し、内気側流路（34）における内気フィルタ（62）の下流側に第１排気湿度センサ（78）を配置している。また、給気ファン室（36）に第２給気湿度センサ（79）を配置し、排気ファン室（35）に第２排気湿度センサ（80）を配置している。上記第１給気湿度センサ（77）は室外空気（OA）の絶対湿度を、第１排気湿度センサ（78）は室内空気（RA）の絶対湿度を、第２給気湿度センサ（79）は供給空気（SA）の絶対湿度を、第２排気湿度センサ（80）は排出空気（EA）の絶対湿度をそれぞれ検出している。
【０１０９】
この例では、上記実施形態１と異なり、第１動作と第２動作との切り換えに連動せずに、給気ファン（26）及び排気ファン（25）の送風能力が調節される。即ち、給気側制御部（91）は、上記第１給気湿度センサ（77）及び上記第２給気湿度センサ（79）で検出した湿度の変化量に基づいて給気ファン（26）の給気量を目標給気量に維持させるように調節する。一方、排気側制御部（92）は、上記第１排気湿度センサ（78）及び上記第２排気湿度センサ（80）で検出した湿度に基づいて排気ファン（25）の排気量を目標排気量に維持されるように調節する。この例では、各湿度センサを利用して吸着熱交換器（51,52）の調湿能力を制御することで、供給空気（SA）の湿度を目標の湿度に調節することができ、室内の調湿を精度良く行うことが可能となる。
【０１１０】
《発明の実施形態２》
実施形態２の換気装置（10）は、上記実施形態とセンサ及びコントローラの構成が異なるものである。
【０１１１】
<センサ及びコントローラの構成>
図１６に示すように、本実施形態２の換気装置（10）の空気通路には、２つの温度センサ（81,82）が設けられている。これらの温度センサは、第１温度センサ（81）と第２温度センサ（82）とで構成されている。
【０１１２】
上記第１温度センサ（81）は、第１熱交換器室（37）における第１吸着熱交換器（51）の上流側に配置されている。この第１温度センサ（81）は、第１吸着熱交換器（51）に調湿される前の空気の温度を検出する。上記第２温度センサ（82）は、第１熱交換器室（37）における第１吸着熱交換器（51）の下流側に配置されている。この第２温度センサ（82）は、第１吸着熱交換器（51）に調湿された後の空気の温度を検出する。
【０１１３】
実施形態２のコントローラ（90）には、上記第１温度センサ（81）及び第２温度センサ（82）で検出した温度が受信される。 また、コントローラ（90）には、換気装置（10）の出荷時又は据え付け時に入力されたデータベース関数を記憶する記憶部（94）が設けられている。
【０１１４】
ところで、空気を吸着熱交換器に通過させる際には、冷媒と空気とが熱交換するため、空気の温度が変化する。この際には、吸着熱交換器を流れる空気の風速に応じて空気の温度変化量が変化する。即ち、例えば吸着熱交換器を流れる空気の風速が早くなるにつれて、吸着熱交換器を流れる冷媒と空気との間の熱伝達率が増大し、空気の温度変化量が増大する。逆にいうと、吸着熱交換器を流通する空気の風速が遅くなる場合には、空気の温度変化量が低下することになる。また、上記吸着熱交換器を通過する空気の温度変化量は、冷媒回路の冷媒循環量、即ち冷媒回路に接続された圧縮機の運転周波数によっても変化する。
【０１１５】
上述した記憶部（94）には、このような特性を利用して給気ファン（26）及び排気ファン（25）の実際の送風量を求めるためのデータベース関数が記憶されている。
【０１１６】
具体的に、上記データベース関数は、給気ファン（26）の実際の給気量を求めるための給気側データベース関数と、排気ファン（25）の実際の排気量を求めるための排気側データベース関数とで構成されている。本実施形態において、上記給気側データベース関数は、室外空気（OA）の温度、供給空気（SA）の温度、及び圧縮機（53）の運転周波数を基本パラメータとしている。上記排気側データベース関数は、室内空気（RA）の温度、排出空気（EA）の温度、及び圧縮機（53）の運転周波数を基本パラメータとしている。なお、各空気の温度は、上記各温度センサ（81,82）で適宜検出されるものであり、吸着熱交換器（51）の前後の空気の温度変化量を求めるためのパラメータである。また、上記圧縮機（53）の運転周波数は、圧縮機（53）からコントローラ（90）に適宜出力されるものであり、上記データベース関数において、冷媒の循環量の変化に起因して吸着熱交換器（51）による空気の温度変化量が変化するのを考慮するためのパラメータである。
【０１１７】
−換気制御動作−
次に、実施形態２の換気装置（10）の換気制御動作について説明する。
【０１１８】
実施形態２では、上述した第１動作と第２動作との切り換えに連動するようにして、給気ファン（26）や排気ファン（25）の換気制御が行われる。
【０１１９】
具体的に、上記除湿運転の第２動作時や上記加湿運転の第１動作時には、給気ファン（26）に搬送される空気が第１熱交換器室（37）を通過する。このため、これらの動作時においては、第１温度センサ（81）が室外空気（OA）の温度を検出し、第２温度センサ（82）が供給空気（SA）の温度を検出することになる。これらの動作時には、給気側制御部（91）が各温度センサ（81,82）の検出温度と、実際の圧縮機（53）の運転周波数とを上記給気側データベース関数に当てはめ、給気ファン（26）の現状の給気量を算出する。
【０１２０】
ここで、給気ファン（26）の送風抵抗が増大し、算出した給気量が目標給気量を下回るような場合、給気側制御部（91）は、算出した給気量を目標給気量に近づけるために必要なモータ回転速度を算出・更新し、給気ファン（26）の現状のモータ回転速度をこの必要モータ回転速度まで増加させる。その結果、給気ファン（26）の給気量が増大して目標給気量に維持される。
【０１２１】
一方、上記除湿運転の第１動作時や上記加湿運転の第２動作時には、排気ファン（25）に搬送される空気が第１熱交換器室（37）を通過する。このため、これらの動作時においては、上記温度センサ（81）が室内空気（RA）の温度を検出し、第２温度センサ（82）が排出空気（EA）の温度を検出することになる。これらの動作時には、排気側制御部（92）が各温度センサ（81,82）の検出温度と、実際の圧縮機（53）の運転周波数とを上記排気側データベース関数に当てはめ、排気ファン（25）の実際の排気量を算出する。
【０１２２】
ここで、排気ファン（25）の送風抵抗が増大し、算出した排気量が目標排気量を下回るような場合、排気側制御部（92）は、算出した排気量を目標排気量に近づけるために必要なモータ回転速度を算出・更新し、排気ファン（25）の現状のモータ回転速度をこの必要モータ回転速度まで増加させる。その結果、排気ファン（25）の排気量が増大して目標排気量に維持される。
【０１２３】
−実施形態２の効果−
上記実施形態２によれば、第１，第２温度センサ（81,82）で検出した温度の変化量に基づいて、各ファン（25,26）の送風量を目標送風量に維持させることができる。このため、実施形態２においても、室内の換気量を確実に一定に保つことができる。
【０１２４】
なお、図１５に示した上記実施形態１の湿度センサの配置例と同様にして、４つの温度センサを空気通路に配置し、第１動作と第２動作との切り換えに連動せずに、給気ファン（26）及び排気ファン（25）の送風量を制御するようにしても良い。
【０１２５】
《発明の参考形態３》
参考形態３の換気装置（10）は、上記実施形態とセンサ及びコントローラの構成が異なるものである。
【０１２６】
<センサ及びコントローラの構成>
図１７に示すように、本参考形態３の換気装置（10）には、給気ファン（26）及び排気ファン（25）に、それぞれ回転数検出手段（85,86）と出力検出手段（87,88）とが電気的に接続されている。上記回転数検出手段は、給気ファン（26）のモータ回転速度を検出する給気側パルスカウンター（85）と、排気ファン（25）のモータ回転速度を検出する排気側パルスカウンター（86）とで構成される。また、上記出力検出手段は、給気ファン（26）のモータ入力電流を検出する給気側入力電流計（87）と、排気ファン（25）のモータ入力電流を検出する排気側入力電流計（88）とで構成される。
【０１２７】
参考形態３のコントローラ（90）には、上記各パルスカウンター（85,86）で検出した各モータ回転速度と、上記各入力電流計（87,88）で検出した各モータ入力電流とが受信される。また、コントローラ（90）には、換気装置（10）の出荷時又は据え付け時に入力されたデータベース関数を記憶する記憶部（94）が設けられている。上記データベース関数は、給気ファン（26）の実際の給気量を求めるための給気側データベース関数と、排気ファン（25）の実際の排気量を求めるための排気側データベース関数とで構成されている。本参考形態３において、上記給気側データベース関数は、給気ファン（26）についてのモータ回転速度及びモータ入力電流値を基本パラメータとしている。また、上記排気側データベース関数は、排気ファン（25）についてのモータ回転速度及びモータ入力電流値を基本パラメータとしている。
【０１２８】
−換気制御動作−
次に、参考形態３の換気装置（10）の換気制御動作について説明する。
【０１２９】
参考形態３では、給気ファン（26）及び排気ファン（25）の運転状態が上記各パルスカウンター（85,86）及び各入力電流計（87,88）によって適宜モニタリングされる。
【０１３０】
例えば外気フィルタ（61）の目詰まり等に起因して給気ファン（26）の送風抵抗が増大すると、給気ファン（26）のモータのトルクの増大に伴って給気ファン（26）のモータ回転速度が減少する。給気側制御部（91）は、給気側パルスカウンター（85）で検出した現状のモータ回転速度と、給気側入力電流計（87）で検出した現状のモータ入力電流値とを上記給気側データベース関数に当てはめ、給気ファン（26）の実際の給気量を算出する。更に、給気側制御部（91）は、算出した給気量を目標給気量に近づけるために必要なモータ回転速度を、上記給気側データベース関数を利用して算出・更新し、給気ファン（26）の現状のモータ回転速度をこの必要モータ回転速度まで増加させる。その結果、給気ファン（26）の給気量が増大して目標給気量に維持される。
【０１３１】
一方、例えば内気フィルタ（62）の目詰まり等に起因して排気ファン（25）の送風抵抗が増大すると、排気ファン（25）のモータのトルクの増大に伴って排気ファン（25）のモータ回転速度が減少する。排気側制御部（92）は、排気側パルスカウンター（86）で検出したモータ回転速度と、排気側入力電流計（88）で検出したモータ入力電流値とを上記排気側データベース関数に当てはめ、排気ファン（25）の現状の排気量を算出する。更に、給気側制御部（91）は、算出した排気量を目標排気量に近づけるために必要なモータ回転速度を上記排気側データベース関数を利用して算出・更新し、排気ファン（25）の現状のモータ回転速度をこの必要モータ回転速度まで増加させる。その結果、排気ファン（25）の排気量が増大して目標排気量に維持される。
【０１３２】
−参考形態３の効果−
上記参考形態３によれば、上述した風速センサや圧力センサなどを空気通路に配置することなく、各ファン（25,26）の送風量を推定し、各ファン（25,26）の送風量を目標送風量に維持させることができる。このため、換気装置（10）をシンプルに構成することができる。
【０１３３】
なお、上記参考形態３では、出力検出手段（86,88）で各ファン（25,26）のモータ入力電流を適宜検出するようにしているが、この出力検出手段（86,88）で各ファン（25,26）のモータ入力電力を検出し、このモータ入力電力とモータ回転速度とに基づいて各ファン（25,26）の送風能力を調節するようにしても良い。
【０１３４】
《その他の実施形態》
上記実施形態では、換気装置（10）が次のように構成されていてもよい。ここでは、換気装置（10）の変形例について説明する。
【０１３５】
−第１変形例−
図１８に示すように、第１変形例の換気装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えており、それぞれ空調手段を構成している。また、各吸着素子（111,112）には多数の空気孔が形成されており、この空気孔を通過する際に空気が吸着剤と接触する。
【０１３６】
この換気装置（10）は、第１動作と第２動作を繰り返す。図１８(Ａ)に示すように、第１動作中の換気装置（10）は、凝縮器（102）で加熱された空気を第１吸着素子（111）へ供給して吸着剤を再生する一方、第２吸着素子（112）に水分を奪われた空気を蒸発器（104）で冷却する。また、図１８(Ｂ)に示すように、第２動作中の換気装置（10）は、凝縮器（102）で加熱された空気を第２吸着素子（112）へ供給して吸着剤を再生する一方、第１吸着素子（111）に水分を奪われた空気を蒸発器（104）で冷却する。そして、この換気装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１３７】
また、第１変形例では、上記実施形態と同様、室外空気を室内へ供給するまでの給気用通路に給気ファンが配置され、室内空気が室外に排出されるまでの排気用通路に排気ファンが配置される。この第１変形例においても、上述した実施形態の湿度センサ、温度センサ等を利用して、給気ファンや排気ファンの送風量を目標送風量に維持させることができる。
【０１３８】
−第２変形例−
図１９に示すように、第２変形例の換気装置（10）は、空調手段としての調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。
【０１３９】
この換気装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この換気装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１４０】
また、第２変形例では、上記実施形態と同様、室外空気を室内へ供給するまでの給気用通路に給気ファンが配置され、室内空気が室外に排出されるまでの排気用通路に排気ファンが配置される。この第２変形例においても、上述した実施形態の湿度センサ、温度センサ等を利用して、給気ファンや排気ファンの送風量を目標送風量に維持させることができる。
【０１４１】
−その他の変形例−
上記実施形態の排気用通路に取り込まれる室内空気（RA）の臭気成分濃度を検出する臭気センサを配置し、この臭気センサが検出した臭気成分濃度に応じて排気ファン（25）の送風能力を調節するようにしてもよい。この例では、例えば室内での喫煙に応じて臭気センサの検出濃度が増大した場合に、排気ファン（25）の送風能力を増大させる風量制御が行われる。つまり、この例では、室内の臭気発生状況に応じて排気ファン（25）の送風量を適宜調節することで、室内の臭気成分濃度を確実に一定濃度以下に維持することができ、室内の清浄性を保つことができる。
【０１４２】
また同様にして、排気用通路に流入する室内空気（RA）の粉塵濃度を検出する粉塵センサを配置し、この粉塵センサが検出した粉塵濃度に応じて排気ファン（25）の送風能力を調節するようにしてもよい。この例においても、例えば室内の粉塵濃度が増大して粉塵センサの検出濃度が増大した場合に、排気ファン（25）の送風能力を増大させる風量制御が行われる。つまり、この例では、室内の粉塵発生状況に応じて排気ファン（25）の送風量を適宜調節することで、室内の粉塵濃度を確実に一定濃度以下に維持することができ、室内の清浄性を保つことができる。
【０１４３】
また、上述した実施形態では、給気ファン（26）や排気ファン（25）の送風抵抗の増大に応じて、各ファン（25,26）のモータ回転速度を増大させるようにしている。しかしながら、例えば台風時などに室外の圧力が低下して各ファン（25,26）の送風抵抗が低下する場合には、逆に各ファン（25,26）のモータ回転速度を低減変化させることもできる。この場合には、各ファン（25,26）の実際の送風量が目標送風量を上回ってしまうことを回避でき、かつ各ファン（25,26）の動力を低減させて消費電力を節約することができる。
【０１４４】
更に、上記実施形態では、給気ファン（26）と排気ファン（25）の双方の送風量を個別に制御するようにしている。しかしながら、制御手段（90）によって、例えば給気ファン（26）のみの送風能力を調節するようにしてもよいし、排気ファン（25）のみの送風能力を調節するようにしてもよい。
【０１４５】
また、上記実施形態では、表面に吸着剤を担持した吸着熱交換器を空調手段としている。しかしながら、この空調手段は、周知の技術である全熱交換器や、冷媒回路に接続されて空気と冷媒との間で顕熱の交換を行う熱交換器（顕熱交換器）で構成されていてもよい。
【０１４６】
なお、以上の実施形態は、本質的に好ましい例示であって、本発明、その適用物、あるいはその用途の範囲を制限することを意図するものではない。
【産業上の利用可能性】
【０１４７】
以上説明したように、本発明は、空気の調湿や温調を行う空調手段を備えた換気装置について有用である。
【図面の簡単な説明】
【０１４８】
【図１】参考形態１の換気装置の概略構成を示す斜視図である。
【図２】換気装置の概略構成を示す平面視、右側面視、及び左側面視の構成図である。
【図３】冷媒回路の構成を示す配管系統図であって、(Ａ)は第１動作中の動作を示すものであり、(Ｂ)は第２動作中の動作を示すものである。
【図４】吸着熱交換器の概略斜視図である。
【図５】制御手段の概略構成図である。
【図６】除湿運転の第１動作中における空気の流れを示す換気装置の概略構成図である。
【図７】除湿運転の第２動作中における空気の流れを示す換気装置の概略構成図である。
【図８】加湿運転の第１動作中における空気の流れを示す換気装置の概略構成図である。
【図９】加湿運転の第２動作中における空気の流れを示す換気装置の概略構成図である。
【図１０】風速センサのその他の配置例を示す換気装置の概略構成図である。
【図１１】参考形態２の換気装置の概略構成を示す平面視、右側面視、及び左側面視の構成図である。
【図１２】圧力センサのその他の配置例を示す換気装置の概略構成図である。
【図１３】実施形態１の換気装置の概略構成を示す平面視、右側面視、及び左側面視の構成図である。
【図１４】制御手段の概略構成図である。
【図１５】湿度センサのその他の配置例を示す換気装置の概略構成図である。
【図１６】実施形態２の換気装置の概略構成を示す平面視、右側面視、及び左側面視の構成図である。
【図１７】参考形態３の換気装置の概略構成を示す平面視、右側面視、及び左側面視の構成図である。
【図１８】その他の実施形態の第１変形例における換気装置の概略構成図であって、(Ａ)は第１動作中の動作を示すものであり、(Ｂ)は第２動作中の動作を示すものである。
【図１９】その他の実施形態の第２変形例における調湿ユニットの概略斜視図である。
【符号の説明】
【０１４９】
10     換気装置
11     ケーシング
25,26  排気ファン，給気ファン（送風ファン）
51,52  吸着熱交換器（空調手段）
61,62  外気フィルタ，内気フィルタ（フィルタ））
77,78  第１給気湿度センサ，第１排気湿度センサ（第１湿度センサ）
79,80  第２給気湿度センサ，第２排気湿度センサ（第２湿度センサ）
81     第１温度センサ
82     第２温度センサ
90     コントローラ（制御手段）
91     給気側制御部
92     排気側制御部